(57)【要約】【課題】市販のデジタルカメラを利用して書画原稿を撮像させるようにした、安価で、しかも持ち運びが容易なカメラスタンドを提供する。【解決手段】書画原稿Ａが置かれる原稿台１と、その後端部に基端を枢支され、前面が原稿台１に対向する倒伏状態と起立状態とに回動されるスタンド本体５と、先端に市販のデジタルカメラ３０を着脱可能に支持するカメラホルダ１０を有し、基端をスタンド本体５の先端部に枢支されてスタンド本体５の前面に倒伏された状態とスタンド本体５の前方に張出す状態とに回動されるカメラ支持アーム８とを備え、使用時に、スタンド本体５を起立回動され、カメラ支持アーム８をスタンド本体５の前方に張出し回動されてカメラホルダ１０に装着されたデジタルカメラ３０をその撮像レンズ３１を原稿台１に向けて支持し、不使用時に、カメラ支持アーム８をスタンド本体５の前面に倒伏回動され、スタンド本体５を原稿台１上に倒伏回動されて折り畳まれる。【選択図】      図１
2005099708.tif 000002
【特許請求の範囲】
【請求項１】
スタンド載置面上に置かれる足部材と、前記足部材に基端を枢支され、倒伏状態と起立状態とに回動されるスタンド本体と、先端にデジタルカメラを着脱可能に支持するカメラホルダを有し、基端を前記スタンド本体の先端部に枢支され、前記スタンド本体に沿わせて格納された状態と起立回動された前記スタンド本体の前方に張出す状態とに回動されるカメラ支持アームとを備え、使用時に、前記スタンド本体を起立回動され、前記カメラ支持アームを前記スタンド本体の前方に張出されて、その下方に置かれた書画原稿を前記カメラホルダに装着された前記デジタルカメラに撮像させ、不使用時に、前記カメラ支持アームを前記スタンド本体に沿わせて格納され、前記スタンド本体を倒伏回動されて折り畳まれることを特徴とするカメラスタンド。
【請求項２】
足部材は、上面に書画原稿が置かれる原稿台であり、スタンド本体は、その基端を前記原稿台の後端部に枢支され、前記原稿台上に倒伏する状態と前記原稿台の後端部から上方に起立する状態とに回動されることを特徴とする請求項１に記載のカメラスタンド。
【請求項３】
原稿台は、前後方向の長さが左右方向の幅よりも大きい矩形状の中央プレートと、前記中央プレートの幅以下の幅を有し、一側縁を前記中央プレートの左右の側縁にそれぞれ回動可能に連結され、前記中央プレートの両側に展開された状態と前記中央プレート上に折り重ねられた状態とに回動される左右一対のサイドプレートとからなっており、スタンド本体は、前記中央プレートと略同じ幅を有し、前記中央プレート上に折り重ねられた前記一対のサイドプレート上に倒伏されることを特徴とする請求項２に記載のカメラスタンド。
【請求項４】
原稿台は、１枚のプレートからなっており、スタンド本体は、前記原稿台と略同じ幅を有していることを特徴とする請求項２に記載のカメラスタンド。
【請求項５】
足部材は、スタンド載置面上に寝かせた状態で置かれる前後２つの端部をもった棒状足であり、スタンド本体の少なくとも一側に前記棒状足が配置され、前記スタンド本体は、その基端を前記棒状足の後端部に枢支され、前記棒状足の側方にその長さ方向に沿って倒伏する状態と前記棒状足の後端部の側方から上方に起立する状態とに回動されることを特徴とする請求項１に記載のカメラスタンド。
【請求項６】
棒状足は、スタンド本体の前後面間の厚さと略同じ厚さを有していることを特徴とする請求項５に記載のカメラスタンド。
【請求項７】
棒状足の後端部にその側方に水平に突出する軸部材が設けられ、スタンド本体の基端が前記軸部材にその軸回り方向に回動可能に且つ前記軸部材の長さ方向にスライド可能に支持されていることを特徴とする請求項５に記載のカメラスタンド。
【請求項８】
棒状足はスタンド本体の一側に配置されており、前記スタンド本体は、その基端と前記棒状足とにより起立状態でスタンド載置面上に支持されることを特徴とする請求項５に記載のカメラスタンド。
【請求項９】
棒状足はスタンド本体の一側と他側にそれぞれ配置されていることを特徴とする請求項５に記載のカメラスタンド。
【請求項１０】
スタンド本体の前面に凹入部が設けられており、カメラ支持アームは、前記凹入部内に格納されることを特徴とする請求項１〜９のいずれかに記載のカメラスタンド。
【請求項１１】
スタンド本体の前面に設けられた凹入部は、カメラ支持アームとその先端のカメラホルダに装着されたデジタルカメラの両方を収容することを特徴とする請求項１０に記載のカメラスタンド。
【請求項１２】
スタンド本体に、その前後面に開放する空間部が設けられており、カメラ支持アームは、前記空間部内に格納されることを特徴とする請求項１〜９のいずれかに記載のカメラスタンド。
【請求項１３】
スタンド本体に設けられた空間部は、カメラ支持アームとその先端のカメラホルダに装着されたデジタルカメラの両方を収容することを特徴とする請求項１２に記載のカメラスタンド。
【請求項１４】
スタンド本体は、足部材に基端を枢支された第１のスタンド部材と、前記第１のスタンド部材にその長さ方向にスライド可能に設けられ、使用時に前記第１のスタンド部材の先端から外方に引出され、不使用時に前記第１のスタンド部材の長さ内に収容される第２のスタンド部材とからなっており、カメラ支持アームは、その基端を前記第２のスタンド部材の先端に枢支され、不使用時に、前記第２のスタンド部材とともに前記第１のスタンド部材の長さ内に収容されることを特徴とする請求項１〜９のいずれかに記載のカメラスタンド。
【請求項１５】
第１のスタンド部材は中空体からなっており、この第１のスタンド部材内に第２のスタンド部材とカメラ支持アームが収容されることを特徴とする請求項１４に記載のカメラスタンド。
【請求項１６】
カメラ支持アームは、その先端のカメラホルダに装着されたデジタルカメラを第１のスタンド部材外に残して前記第１のスタンド部材の長さ内に収容され、前記第１のスタンド部材外に残されたデジタルカメラは、着脱可能なカメラ保護キャップにより覆われることを特徴とする請求項１５に記載のカメラスタンド。
【請求項１７】
カメラ支持アームは、基端をスタンド本体の先端部に枢支されたアーム部と、このアーム部の先端に、前記アーム部の長さ方向に対し、スタンド載置面に垂直な面に沿った方向に屈曲回動可能に設けられたカメラホルダとからなっていることを特徴とする請求項１に記載のカメラスタンド。
【請求項１８】
カメラホルダは、アーム部の先端に、前記アーム部の長さ方向に対し、スタンド載置面に垂直な面に沿った方向に屈曲回動可能に枢支された回動部材と、前記回動部材に着脱可能に固定され、デジタルカメラを着脱可能に支持するカメラ固定部材とからなっていることを特徴とする請求項１７に記載のカメラスタンド。
【請求項１９】
カメラホルダは、アーム部の先端に、前記アーム部の長さ方向に対し、スタンド載置面に垂直な面に沿った方向に屈曲回動可能に枢支された回動部材と、前記回動部材にその周方向に回動可能に枢支され、デジタルカメラを着脱可能に支持するカメラ固定部材とからなっていることを特徴とする請求項１７に記載のカメラスタンド。
【請求項２０】
カメラホルダは、アーム部の先端に、前記アーム部の長さ方向に対し、スタンド載置面に垂直な面に沿った方向に屈曲回動可能に枢支された第１の回動部材と、前記第１の回動部材にその周方向に回動可能に枢支された第２の回動部材と、前記第２の回動部材に着脱可能に固定され、デジタルカメラを着脱可能に支持するカメラ固定部材とからなっていることを特徴とする請求項１７に記載のカメラスタンド。
【請求項２１】
カメラ支持アームは、基端をスタンド本体の先端部に枢支されたアーム部と、前記アーム部の先端にその周方向に回動可能に設けられたカメラホルダとからなっていることを特徴とする請求項１に記載のカメラスタンド。
【請求項２２】
カメラホルダは、アーム部の先端にその周方向に回動可能に支持された回動部材と、前記回動部材に着脱可能に固定され、デジタルカメラを着脱可能に支持するカメラ固定部材とからなっていることを特徴とする請求項２１に記載のカメラスタンド。
【請求項２３】
足部材とスタンド本体のいずれかの内部に、カメラ支持アームのカメラホルダに装着されたデジタルカメラを外部機器に接続するための外部側コネクタが設けられ、前記カメラホルダに、前記デジタルカメラに設けられた外部機器接続コネクタに接続されるカメラ側コネクタが設けられ、前記外部側コネクタと前記カメラ側コネクタとが電気的に接続されていることを特徴とする請求項１に記載のカメラスタンド。
【請求項２４】
足部材とスタンド本体のいずれかの内部に、デジタルカメラに充電するための充電回路が設けられ、この充電回路が、カメラホルダに設けられたカメラ側コネクタに接続されていることを特徴とする請求項２３に記載のカメラスタンド。
【請求項２５】
スタンド本体とカメラ支持アームの少なくとも一方に、書画原稿を照明するための原稿照明ライトが設けられ、スタンド本体に、前記原稿照明ライトの駆動回路が設けられていることを特徴とする請求項１に記載のカメラスタンド。
【発明の詳細な説明】
【技術分野】
【０００１】
この発明は、デジタルカメラを利用して書画原稿を撮像するためのカメラスタンドに関する。
【背景技術】
【０００２】
書画原稿を撮像するための原稿撮像装置としては、従来、上面に書画原稿が置かれる原稿台の後端部にカメラ支持アームを立設し、このカメラ支持アームの上端に専用の電子カメラを設けたものがある（特許文献１参照）。
【特許文献１】特開２００２―２８１３４９号公報
【発明の開示】
【発明が解決しようとする課題】
【０００３】
しかし、上記原稿撮像装置は、専用の電子カメラを備えたものであるため、価格が非常に高く、また、原稿台の上方にカメラ支持アームが突出しているため、持ち運びに不便であるという問題をもっている。
【０００４】
この発明は、市販のデジタルカメラを利用して書画原稿を撮像させるようにした、安価で、しかも持ち運びが容易なカメラスタンドを提供することを目的としたものである。
【課題を解決するための手段】
【０００５】
この発明のカメラスタンドは、スタンド載置面上に置かれる足部材と、前記足部材に基端を枢支され、倒伏状態と起立状態とに回動されるスタンド本体と、先端にデジタルカメラを着脱可能に支持するカメラホルダを有し、基端を前記スタンド本体の先端部に枢支され、前記スタンド本体に沿わせて格納された状態と起立回動された前記スタンド本体の前方に張出す状態とに回動されるカメラ支持アームとを備え、使用時に、前記スタンド本体を起立回動され、前記カメラ支持アームを前記スタンド本体の前方に張出されて、その下方に置かれた書画原稿を前記カメラホルダに装着された前記デジタルカメラに撮像させ、不使用時に、前記カメラ支持アームを前記スタンド本体に沿わせて格納され、前記スタンド本体を倒伏回動されて折り畳まれることを特徴とする。
【０００６】
このカメラスタンドは、前記カメラ支持アームの前端のカメラホルダに市販のデジタルカメラを装着させ、そのデジタルカメラを利用して書画原稿を撮像させるようにしたものであり、前記スタンド本体を起立回動され、前記カメラ支持アームを前記スタンド本体の前方に張出し回動されて、前記カメラホルダに装着された前記デジタルカメラを前記張出し回動されたカメラ支持アームの下方に向けて支持し、前記カメラ支持アームの下方に置かれた書画原稿を前記デジタルカメラに撮像させる。
【０００７】
また、このカメラスタンドは、不使用時には、前記カメラ支持アームを前記スタンド本体に沿わせて格納され、前記スタンド本体を倒伏回動されて、平らに潰した形状に折り畳まれる。
【０００８】
この発明のカメラスタンドにおいて、前記足部材は、上面に書画原稿が置かれる原稿台が望ましく、その場合は、前記スタンド本体を、その基端を前記原稿台の後端部に枢支し、前記原稿台上に倒伏する状態と前記原稿台の後端部から上方に起立する状態とに回動させるようにすればよい。
【０００９】
その場合は、前記原稿台を、前後方向の長さが左右方向の幅よりも大きい矩形状の中央プレートと、前記中央プレートの幅以下の幅を有し、一側縁を前記中央プレートの左右の側縁にそれぞれ回動可能に連結され、前記中央プレートの両側に展開された状態と前記中央プレート上に折り重ねられた状態とに回動される左右一対のサイドプレートとにより構成し、前記スタンド本体の幅を、前記中央プレートの幅と略同じにして、このスタンド本体を、前記中央プレート上に折り重ねられた前記一対のサイドプレート上に倒伏させるようにするのが好ましい。
【００１０】
また、前記原稿台は、１枚のプレートからなるものでもよく、その場合は、前記スタンド本体の幅を、前記１枚のプレートからなる原稿台の幅と略同じにするのが好ましい。
【００１１】
この発明のカメラスタンドにおいて、前記足部材は、スタンド載置面上に寝かせた状態で置かれる前後２つの端部をもった棒状足でもよく、その場合は、前記スタンド本体の少なくとも一側に前記棒状足を配置し、前記スタンド本体を、その基端を前記棒状足の後端部に枢支し、前記棒状足の側方にその長さ方向に沿って倒伏する状態と前記棒状足の後端部の側方から上方に起立する状態とに回動させるようにすればよい。
【００１２】
その場合、前記棒状足は、前記スタンド本体の前後面間の厚さと略同じ厚さを有しているのが好ましい。
【００１３】
また、足部材を前記棒状足とする場合は、この棒状足の後端部にその側方に水平に突出する軸部材を設け、前記スタンド本体の基端を、前記軸部材に、その軸回り方向に回動可能に且つ前記軸部材の長さ方向にスライド可能に支持させるのが望ましい。
【００１４】
前記棒状足は、前記スタンド本体の一側だけに配置してもよく、その場合は、前記スタンド本体を、その基端と前記棒状足とにより起立状態でスタンド載置面上に支持させるようにすればよい。
【００１５】
また、前記棒状足は、前記スタンド本体の一側と他側にそれぞれ配置してもよい。
【００１６】
この発明のカメラスタンドにおいては、前記スタンド本体の前面に凹入部を設け、前記カメラ支持アームを、前記凹入部内に格納するのが望ましい。
【００１７】
その場合は、前記凹入部に、前記カメラ支持アームとその先端のカメラホルダに装着されたデジタルカメラの両方を収容するのが好ましい。
【００１８】
また、この発明のカメラスタンドにおいては、前記スタンド本体に、その前後面に開放する空間部を設け、前記カメラ支持アームを、前記空間部内に格納するようにしてもよい。
【００１９】
その場合は、前記空間部に、前記カメラ支持アームとその先端のカメラホルダに装着されたデジタルカメラの両方を収容するのが好ましい。
【００２０】
さらに、この発明のカメラスタンドにおいては、前記スタンド本体を、前記足部材に基端を枢支された第１のスタンド部材と、前記第１のスタンド部材にその長さ方向にスライド可能に設けられ、使用時に前記第１のスタンド部材の先端から外方に引出され、不使用時に前記第１のスタンド部材の長さ内に収容される第２のスタンド部材とにより構成し、前記カメラ支持アームを、その基端を前記第２のスタンド部材の先端に枢支して、不使用時に、前記第２のスタンド部材とともに前記第１のスタンド部材の長さ内に収容するようにしてもよい。
【００２１】
その場合は、前記第１のスタンド部材を中空体とし、この第１のスタンド部材内に前記第２のスタンド部材とカメラ支持アームを収容するのが望ましい。
【００２２】
このように、前記第１のスタンド部材を中空体とし、この第１のスタンド部材内に前記第２のスタンド部材とカメラ支持アームを収容する場合は、前記カメラ支持アームを、その先端のカメラホルダに装着されたデジタルカメラを前記第１のスタンド部材外に残して前記第１のスタンド部材の長さ内に収容し、前記第１のスタンド部材外に残された前記デジタルカメラを、着脱可能なカメラ保護キャップにより覆うのが好ましい。
【００２３】
この発明のカメラスタンドにおいては、前記カメラ支持アームを、基端を前記スタンド本体の先端部に枢支されたアーム部と、このアーム部の先端に、前記アーム部の長さ方向に対し、スタンド載置面に垂直な面に沿った方向に屈曲回動可能に設けられたカメラホルダとにより構成するのが望ましい。
【００２４】
その場合、前記カメラホルダは、前記アーム部の先端に、前記アーム部の長さ方向に対し、スタンド載置面に垂直な面に沿った方向に屈曲回動可能に枢支された回動部材と、前記回動部材に着脱可能に固定され、デジタルカメラを着脱可能に支持するカメラ固定部材とにより構成するのが好ましい。
【００２５】
また、上記のようにカメラ支持アームを、基端を前記スタンド本体の先端部に枢支されたアーム部とその先端に屈曲回動可能に設けられたカメラホルダとにより構成する場合は、前記カメラホルダを、前記アーム部の先端に、このアーム部の長さ方向に対し、スタンド載置面に垂直な面に沿った方向に屈曲回動可能に枢支された回動部材と、前記回動部材にその周方向に回動可能に枢支され、デジタルカメラを着脱可能に支持するカメラ固定部材とにより構成してもよい。
【００２６】
さらに、上記のようにカメラ支持アームを、基端を前記スタンド本体の先端部に枢支されたアーム部とその先端に屈曲回動可能に設けられたカメラホルダとにより構成する場合、前記カメラホルダは、前記アーム部の先端に、このアーム部の長さ方向に対し、スタンド載置面に垂直な面に沿った方向に屈曲回動可能に枢支された第１の回動部材と、前記第１の回動部材にその周方向に回動可能に枢支された第２の回動部材と、前記第２の回動部材に着脱可能に固定され、デジタルカメラを着脱可能に支持するカメラ固定部材とにより構成するのがより好ましい。
【００２７】
また、この発明のカメラスタンドにおいては、前記カメラ支持アームを、基端を前記スタンド本体の先端部に枢支されたアーム部と、前記アーム部の先端にその周方向に回動可能に設けられたカメラホルダとにより構成してもよい。
【００２８】
その場合、前記カメラホルダは、前記アーム部の先端にその周方向に回動可能に支持された回動部材と、前記回動部材に着脱可能に固定され、デジタルカメラを着脱可能に支持するカメラ固定部材とにより構成するのが望ましい。
【００２９】
また、この発明のカメラスタンドは、前記足部材と前記スタンド本体のいずれかの内部に、前記カメラ支持アームのカメラホルダに装着されたデジタルカメラを外部機器に接続するための外部側コネクタを設け、前記カメラホルダに、前記デジタルカメラに設けられた外部機器接続コネクタに接続されるカメラ側コネクタを設け、前記外部側コネクタと前記カメラ側コネクタとを電気的に接続した構成とするのが望ましい。
【００３０】
さらに、この発明のカメラスタンドは、前記足部材と前記スタンド本体のいずれかの内部に、デジタルカメラに充電するための充電回路を設け、この充電回路を、前記カメラホルダに設けられた前記カメラ側コネクタに接続した構成とするのが好ましい。
【００３１】
されていることを特徴とする請求項２３に記載のカメラスタンド。
【００３２】
さらにまた、この発明のカメラスタンドは、前記スタンド本体と前記カメラ支持アームの少なくとも一方に、書画原稿を照明するための原稿照明ライトを設け、前記スタンド本体に、前記原稿照明ライトの駆動回路を設けた構成とするのが望ましい。
【発明の効果】
【００３３】
この発明のカメラスタンドは、前記カメラ支持アームの先端のカメラホルダに市販のデジタルカメラを装着させ、そのデジタルカメラを利用して書画原稿を撮像させるようにしたものであるため、このカメラスタンドの価格は前記デジタルカメラを含まない安価な価格である。
【００３４】
しかも、このカメラスタンドは、不使用時に、前記カメラ支持アームを前記スタンド本体に沿わせて格納し、前記スタンド本体を倒伏回動させることにより、平らに潰した形状に折り畳むことができるため、持ち運びが容易である。
【００３５】
さらに、このカメラスタンドは、前記カメラ支持アームを、その先端に前記デジタルカメラを着脱可能に支持するカメラホルダを設けた構成としているため、前記カメラホルダから前記デジタルカメラを取外し、このデジタルカメラを単独で使用することもできる。
【００３６】
この発明のカメラスタンドにおいて、前記足部材は、上面に書画原稿が置かれる原稿台が望ましく、その場合は、前記スタンド本体を、その基端を前記原稿台の後端部に枢支し、前記原稿台上に倒伏する状態と前記原稿台の後端部から上方に起立する状態とに回動させるようにすることにより、不使用時に、前記カメラ支持アームを前記スタンド本体の前面に倒伏回動させて前記スタンド本体を前記原稿台上に倒伏回動させ、平らに潰した形状に折り畳むことができる。
【００３７】
その場合は、前記原稿台を、前後方向の長さが左右方向の幅よりも大きい矩形状の中央プレートと、前記中央プレートの幅以下の幅を有し、一側縁を前記中央プレートの左右の側縁にそれぞれ回動可能に連結され、前記中央プレートの両側に展開された状態と前記中央プレート上に折り重ねられた状態とに回動される左右一対のサイドプレートとにより構成し、前記スタンド本体の幅を、前記中央プレートの幅と略同じにして、このスタンド本体を、前記中央プレート上に折り重ねられた前記一対のサイドプレート上に倒伏させるようにするのが好ましく、このようにすることにより、カメラスタンドを、前記原稿台の中央プレートと略同じ幅のコンパクトな形状に折り畳むことができる。
【００３８】
また、前記原稿台は、１枚のプレートからなるものでもよく、その場合は、前記スタンド本体の幅を、前記１枚のプレートからなる原稿台の幅と略同じにすることにより、カメラスタンドを、前記原稿台と略同じ幅のコンパクトな形状に折り畳むことができる。
【００３９】
この発明のカメラスタンドにおいて、前記足部材は、スタンド載置面上に寝かせた状態で置かれる前後２つの端部をもった棒状足でもよく、その場合は、前記スタンド本体の少なくとも一側に前記棒状足を配置し、前記スタンド本体を、その基端を前記棒状足の後端部に枢支し、前記棒状足の側方にその長さ方向に沿って倒伏する状態と前記棒状足の後端部の側方から上方に起立する状態とに回動させるようにすることにより、前記スタンド載置面上に書画原稿を置いて撮像することができる。
【００４０】
そして、このカメラスタンドは、足部材を前記棒状足としたものであるため、不使用時に、前記カメラ支持アームを前記スタンド本体の前面に倒伏回動させて前記スタンド本体を前記棒状足の側方にその長さ方向に沿わせて倒伏させ、平らに潰した形状に折り畳むことができる。
【００４１】
その場合、前記棒状足は、前記スタンド本体の前後面間の厚さと略同じ厚さを有しているのが好ましく、このようにすることにより、不使用時にカメラスタンドを、前記棒状足と前記スタンド本体との間に段差が無いフラットな形状に折り畳むことができる。
【００４２】
また、足部材を前記棒状足とする場合は、この棒状足の後端部にその側方に水平に突出する軸部材を設け、前記スタンド本体の基端を、前記軸部材に、その軸回り方向に回動可能に且つ前記軸部材の長さ方向にスライド可能に支持させるのが望ましく、このようにすることにより、前記スタンド本体の幅を小さくし、しかも使用時に、前記スタンド本体を前記棒状足から離れる方向に移動させることにより、前記棒状足から充分な距離をとった位置の上方にデジタルカメラを支持して、前記スタンド載置面上に置かれた書画原稿を撮像させることができるとともに、不使用時に前記スタンド本体を前記棒状足の側面に引き寄せて、よりコンパクトな形状に折り畳むことができる。
【００４３】
このカメラスタンドにおいて、前記棒状足は、前記スタンド本体の一側だけに配置してもよく、その場合は、前記スタンド本体を、その基端と前記棒状足とにより起立状態でスタンド載置面上に支持させるようにすることにより、前記スタンド載置面上に前記スタンド本体を安定した起立状態で置くことができる。
【００４４】
また、前記棒状足は、前記スタンド本体の一側と他側にそれぞれ配置してもよく、このようにすることにより、起立状態のスタンド本体をその両側の２本の棒状足で支え、前記スタンド載置面上に前記スタンド本体を安定した起立状態で置くことができる。
【００４５】
この発明のカメラスタンドにおいては、前記スタンド本体の前面に凹入部を設け、前記カメラ支持アームを、前記凹入部内に格納するのが望ましく、このようにすることにより、カメラスタンドを、より薄く潰した形状に折り畳むことができる。
【００４６】
その場合は、前記凹入部に、前記カメラ支持アームとその先端のカメラホルダに装着されたデジタルカメラの両方を収容するのが好ましく、このようにすることにより、前記カメラ支持アームのカメラホルダに前記デジタルカメラを装着したままカメラスタンドを折り畳むことができる。
【００４７】
また、この発明のカメラスタンドにおいては、前記スタンド本体に、その前後面に開放する空間部を設け、前記カメラ支持アームを、前記空間部内に格納するようにしてもよく、このようにすることにより、カメラスタンドを、より薄く潰した形状に折り畳むことができる。
【００４８】
その場合は、前記空間部に、前記カメラ支持アームとその先端のカメラホルダに装着されたデジタルカメラの両方を収容するのが好ましく、このようにすることにより、前記カメラ支持アームのカメラホルダに前記デジタルカメラを装着したままカメラスタンドを折り畳むことができる。
【００４９】
さらにまた、この発明のカメラスタンドにおいては、前記スタンド本体を、前記足部材に基端を枢支された第１のスタンド部材と、前記第１のスタンド部材にその長さ方向にスライド可能に設けられ、使用時に前記第１のスタンド部材の先端から外方に引出され、不使用時に前記第１のスタンド部材の長さ内に収容される第２のスタンド部材とにより構成し、前記カメラ支持アームを、その基端を前記第２のスタンド部材の先端に枢支して、不使用時に、前記第２のスタンド部材とともに前記第１のスタンド部材の長さ内に収容するようにしてもよく、このようにすることにより、使用時に、前記スタンド本体を前記第２のスタンド部材の引出しにより伸長させ、前記原稿台またはスタンド載置面から充分に離れた高さにデジタルカメラを支持して、前記原稿台またはスタンド載置面上に置かれた書画原稿を撮像させることができるとともに、不使用時に、前記スタンド本体を前記第１のスタンド部材の長さに縮小し、カメラスタンドをコンパクトに折り畳むことができる。
【００５０】
その場合は、前記第１のスタンド部材を中空体とし、この第１のスタンド部材内に前記第２のスタンド部材とカメラ支持アームを収容するのが望ましく、このようにすることにより、前記スタンド本体の外観をシンプルにし、デザイン性を良くすることができる。
【００５１】
このように、前記第１のスタンド部材を中空体とし、この第１のスタンド部材内に前記第２のスタンド部材とカメラ支持アームを収容する場合は、前記カメラ支持アームを、その先端のカメラホルダに装着されたデジタルカメラを前記第１のスタンド部材外に残して前記第１のスタンド部材の長さ内に収容し、前記第１のスタンド部材外に残された前記デジタルカメラを、着脱可能なカメラ保護キャップにより覆うのが好ましく、このようにすることにより、前記第１のスタンド部材内の前記第２のスタンド部材及びカメラ支持アームの収容空間を、前記デジタルカメラの形状を考慮しない簡単な形状にするとともに、不使用時に、前記第１のスタンド部材外に残された前記デジタルカメラを、前記カメラ保護キャップにより保護することができる。
【００５２】
この発明のカメラスタンドにおいては、前記カメラ支持アームを、基端を前記スタンド本体の先端部に枢支されたアーム部と、このアーム部の先端に、前記アーム部の長さ方向に対し、スタンド載置面に垂直な面に沿った方向に屈曲回動可能に設けられたカメラホルダとにより構成するのが望ましく、このようにすることにより、使用時に、前記スタンド本体の起立角と、前記スタンド本体に対する前記アーム部の張出し角と、前記アーム部に対する前記カメラホルダの屈曲角とを調整し、前記カメラホルダに装着されたデジタルカメラを任意の方向に向けて支持することができるとともに、不使用時に、前記カメラホルダを前記アーム部の延長線に沿った方向に回動させてカメラ支持アーム全体を一直線状に延ばし、前記カメラ支持アームを前記スタンド本体に沿わせて格納することができる。
【００５３】
その場合、前記カメラホルダは、前記アーム部の先端に、このアーム部の長さ方向に対し、スタンド載置面に垂直な面に沿った方向に屈曲回動可能に枢支された回動部材と、前記回動部材に着脱可能に固定され、デジタルカメラを着脱可能に支持するカメラ固定部材とにより構成するのが好ましく、このようにすることにより、前記カメラホルダのカメラ固定部材に支持させた状態で前記回動部材に着脱できるようにし、前記カメラホルダへのデジタルカメラの着脱を容易にすることができる。
【００５４】
また、上記のようにカメラ支持アームを、基端を前記スタンド本体の先端部に枢支されたアーム部とその先端に屈曲回動可能に設けられたカメラホルダとにより構成する場合は、前記カメラホルダを、前記アーム部の先端に、前記アーム部の長さ方向に対し、スタンド載置面に垂直な面に沿った方向に屈曲回動可能に枢支された回動部材と、前記回動部材にその周方向に回動可能に枢支され、デジタルカメラを着脱可能に支持するカメラ固定部材とにより構成してもよく、このようにすることにより、使用時に、前記スタンド本体の起立角と、前記スタンド本体に対する前記アーム部の張出し角と、前記アーム部に対する前記回動部材の屈曲角と、前記回動部材の周方向への前記カメラ固定部材の回動角とを調整し、前記カメラ固定部材に支持されたデジタルカメラをさらに任意の方向に向けて支持することができるとともに、不使用時に、前記カメラ固定部材を前記回動部材に対してその周方向のずれを無くした状態に回動させ、前記回動部材を前記アーム部の延長線に沿った方向に回動させてカメラ支持アーム全体を一直線状に延ばし、前記カメラ支持アームを前記スタンド本体に沿わせて格納することができる。
【００５５】
さらに、上記のようにカメラ支持アームを、基端を前記スタンド本体の先端部に枢支されたアーム部とその先端に屈曲回動可能に設けられたカメラホルダとにより構成する場合は、前記カメラホルダを、前記アーム部の先端に、前記アーム部の長さ方向に対し、スタンド載置面に垂直な面に沿った方向に屈曲回動可能に枢支された第１の回動部材と、前記第１の回動部材にその周方向に回動可能に枢支された第２の回動部材と、前記第２の回動部材に着脱可能に固定され、デジタルカメラを着脱可能に支持するカメラ固定部材とにより構成するのがより好ましく、このようにすることにより、使用時に、前記スタンド本体の起立角と、前記スタンド本体に対する前記アーム部の張出し角と、前記アーム部に対する前記第１の回動部材の屈曲角と、前記第１の回動部材に対する前記第２の回動部材の周方向の回動角とを調整し、前記カメラ固定部材に支持されたデジタルカメラをさらに任意の方向に向けて支持するとともに、不使用時に、前記第２の回動部材を前記第１の回動部材に対してその周方向のずれを無くした状態に回動させ、前記第１の回動部材を前記アーム部の延長線に沿った方向に回動させてカメラ支持アーム全体を一直線状に延ばし、前記カメラ支持アームを前記スタンド本体に沿わせて格納することができ、また、前記デジタルカメラを前記カメラ固定部材に支持させた状態で前記第２の回動部材に着脱できるようにして前記カメラホルダへのデジタルカメラの着脱を容易にすることができる。
【００５６】
また、この発明のカメラスタンドにおいては、前記カメラ支持アームを、基端を前記スタンド本体の先端部に枢支されたアーム部と、前記アーム部の先端にその周方向に回動可能に設けられたカメラホルダとにより構成してもよく、このようにすることにより、使用時に、前記スタンド本体の起立角と、前記スタンド本体に対する前記アーム部の張出し角と、前記アーム部の周方向への前記カメラホルダの回動角とを調整し、前記カメラホルダに装着されたデジタルカメラを任意の方向に向けて支持することができるとともに、不使用時に、前記カメラホルダを前記アーム部に対してその周方向のずれを無くした状態に回動させて、前記カメラ支持アームを前記スタンド本体に沿わせて格納することができる。
【００５７】
その場合、前記カメラホルダは、前記アーム部の先端にその周方向に回動可能に支持された回動部材と、前記回動部材に着脱可能に固定され、デジタルカメラを着脱可能に支持するカメラ固定部材とにより構成するのが好ましく、このようにすることにより、前記デジタルカメラを前記カメラホルダのカメラ固定部材に支持させた状態で前記カメラホルダの回動部材に着脱できるようにし、前記カメラホルダへのデジタルカメラの着脱を容易にすることができる。
【００５８】
また、この発明のカメラスタンドは、前記足部材と前記スタンド本体のいずれかの内部に、前記カメラ支持アームのカメラホルダに装着されたデジタルカメラを外部機器に接続するための外部側コネクタを設け、前記カメラホルダに、前記デジタルカメラに設けられた外部機器接続コネクタに接続されるカメラ側コネクタを設け、前記外部側コネクタと前記カメラ側コネクタとを電気的に接続した構成とするのが望ましく、このようにすることにより、このカメラホルダに装着されたデジタルカメラを、前記カメラスタンドを介して外部機器に接続することができる。
【００５９】
さらに、この発明のカメラスタンドは、前記足部材と前記スタンド本体のいずれかの内部に、デジタルカメラに充電するための充電回路を設け、この充電回路を、前記カメラホルダに設けられた前記カメラ側コネクタに接続した構成とするのが好ましく、このようにすることにより、前記カメラホルダにデジタルカメラを装着したままで、前記デジタルカメラに充電することができる。
【００６０】
さらにまた、この発明のカメラスタンドは、前記スタンド本体と前記カメラ支持アームの少なくとも一方に、書画原稿を照明するための原稿照明ライトを設け、前記スタンド本体に、前記原稿照明ライトの駆動回路を設けた構成とするのが望ましく、このようにすることにより、前記デジタルカメラの内蔵電源の電力を消費せずに、撮像する書画原稿を照明することができる。
【発明を実施するための最良の形態】
【００６１】
（第１の実施例）
図１〜図８はこの発明の第１の実施例を示しており、図１はカメラスタンドの使用状態の斜視図、図２は前記カメラスタンドの折り畳み途中の状態の斜視図、図３は前記カメラスタンドの折り畳み状態の斜視図、図４は図１のIV―IV線に沿う拡大断面図、図５は図２のV―V線に沿う拡大断面図である。
【００６２】
このカメラスタンドは、図１〜図３に示したように、図示しないテーブル等のスタンド載置面上に置かれる足部材１と、前記足部材１に基端を枢支され、倒伏状態と起立状態とに回動されるスタンド本体５と、先端に市販のデジタルカメラ３０を着脱可能に支持するカメラホルダ１０を有し、基端を前記スタンド本体５の先端部に枢支され、前記スタンド本体５に沿わせて格納された状態と起立回動された前記スタンド本体５の前方に張出す状態とに回動されるカメラ支持アーム８とを備えたものであり、使用時に、前記スタンド本体５を起立回動され、前記カメラ支持アーム８を前記スタンド本体５の前方に張出されて、その下方に置かれた書画原稿Ａを前記カメラホルダ１０に装着された前記デジタルカメラ３０に撮像させ、不使用時に、前記カメラ支持アーム８を前記スタンド本体５に沿わせて格納され、前記スタンド本体５を倒伏回動されて折り畳まれる。
【００６３】
この実施例のカメラスタンドは、前記足部材１を、上面に書画原稿Ａが置かれる原稿台としたものであり、前記スタンド本体５は、その基端を前記原稿台（足部材）１の後端部に枢支され、前面を原稿台１の上面に対向させて前記原稿台１上に倒伏された状態と前記原稿台１の後端部から上方に起立された状態とに回動されるように設けられている。
【００６４】
前記原稿台１は、前後方向の長さが左右方向の幅よりも大きい矩形状の中央プレート１ａと、前記中央プレート１ａの１／２の幅を有し、一側縁を前記中央プレート１ａの左右の側縁にそれぞれ回動可能に連結され、図１のように前記中央プレート１ａの両側に展開された状態と図２のように前記中央プレート１ａ上に折り重ねられた状態とに回動される左右一対のサイドプレート１ｂとからなっている。
【００６５】
この原稿台１は、カメラスタンドの使用時に、前記中央プレート１ａの両側に一対のサイドプレート１ｂを展開させて使用されるものであり、カメラスタンドの不使用時は、前記一対のサイドプレート１ｂを中央プレート１ａ上に折り重ねた状態に折り畳まれる。
【００６６】
この原稿台１の中央プレート１ａ及び一対のサイドプレート１ｂはそれぞれ、１〜２ｍｍ程度の板厚の硬質樹脂板からなっており、前記中央プレート１ａの両側縁と前記一対のサイドプレート１ｂの中央プレート１ａに連結される側の側縁にはそれぞれ、これらの側縁の両端部を除いて、前記プレート１ａ，１ｂの板厚よりも極く僅かに広い幅の切欠部が形成され、この切欠部の両端面にそれぞれ軸孔（図示せず）が設けられている。
【００６７】
そして、前記中央プレート１ａと一対のサイドプレート１ｂは、図４及び図５に示したように、これらのプレート１ａ，１ｂの板厚と同じ厚さ及びその２倍の幅と前記切欠部に入り込む長さを有し、両端面の両側部に、前記プレート１ａ，１ｂの軸孔に回転可能に嵌入する軸ピン３が突設された棒状の連結部材２を介して連結されている。
【００６８】
なお、前記中央プレート１ａは、一対のサイドプレート１ｂの長さよりも若干長く形成されており、前記中央プレート１ａと一対のサイドプレート１ｂは、それぞれの前端縁を一直線上に揃え、中央プレート１ａの後端部をサイドプレート１ｂの後端縁よりも後方に突出させた状態で前記連結部材２により連結されている。
【００６９】
また、この原稿台１は、例えば、その上面に置くことができる書画原稿の最大サイズを、ＪＩＳ（日本工業規格）によるＡ４サイズとしたものであり、前記中央プレート１ａの後端の突出部を除く部分の前後方向長さは、Ａ４サイズ原稿の短辺（２１０ｍｍ）よりも若干大きく設定され、中央プレート１ａの両側に一対のサイドプレート１ｂを展開させた状態における左右方向幅は、前記Ａ４サイズ原稿の長辺（２９７ｍｍ）よりも若干大きく設定されている。
【００７０】
また、前記原稿台１の中央プレート１ａの後端の突出部の上面には、その中央部にスタンド本体枢支部４が設けられており、このスタンド本体枢支部４に前記スタンド本体５の基端が枢支されている。
【００７１】
前記スタンド本体５は、前記中央プレート１ａの後端の突出部を含む外形と略同じ外形、つまり前記中央プレート１ａと略同じ幅及び長さを有し、且つ前記デジタルカメラ３０の前後面間の厚さよりも大きい３５〜４０ｍｍ程度の厚さを有する矩形状の薄型ケースからなっており、その基端部の中央に前記スタンド本体枢支部４に対応する切欠部が形成され、先端部の中央部にカメラ支持アームの基端に対応する切欠部が形成されるとともに、前面の中央部にその長さ方向に沿わせて、前記カメラ支持アーム８のアーム部９及びその先端のカメラホルダ１０と前記カメラホルダ１０に装着されたデジタルカメラ３０を収容するための凹入部６が、前記基端部の切欠部から先端部の切欠部にわたって設けられている。
【００７２】
そして、このスタンド本体５はその幅方向を前記原稿台１の幅方向と平行にした状態で前記基端部の切欠部を前記スタンド本体枢支部４に嵌装され、前記幅方向と平行な水平支軸（図示せず）を介して前記スタンド本体枢支部４に枢支されている。
【００７３】
前記スタンド本体５は、カメラスタンドの使用時に、前記原稿台１の上方に起立回動され、カメラスタンドの不使用時に、前記原稿台１の中央プレート１ａ上に折り重ねられた一対のサイドプレート１ｂ上に倒伏回動されるものであり、このスタンド本体５の回動中心は、スタンド本体５を倒伏させたときにその前面（凹入部６の両側の面）が前記サイドプレート１ｂに接面する高さにある。
【００７４】
なお、図示しないが、前記スタンド本体枢支部４には、前記スタンド本体５を原稿台１上に倒伏させたときと前記原稿台１の上方に略垂直に起立回動させたときに、その状態にスタンド本体５を保持するためのラッチ機構が設けられている。
【００７５】
一方、前記カメラ支持アーム８は、前記デジタルカメラ３０の横方向の幅及び前後面間の厚さよりも僅かに大きい幅及び厚さを有する中空の板状部材からなり、基端を前記スタンド本体５の先端部に枢支され、前記スタンド本体５に沿わせて格納された状態と起立回動された前記スタンド本体５の前方に張出す状態とに回動されるアーム部９と、このアーム部９の先端に、前記アーム部９の長さ方向に対し、スタンド載置面に垂直な面、つまり原稿台１の上面に垂直な面（以下、垂直面という）に沿った方向に屈曲回動可能に設けられたカメラホルダ１０とからなっている。
【００７６】
このカメラ支持アーム８のアーム部９は、前記スタンド本体５の前面の凹入部６内に収容可能な幅及び厚さと前記スタンド本体５の長さ（起立状態における高さ）の半分程度の長さを有する薄型角筒からなっており、このアーム部９は、その基端を前記スタンド本体５の先端部の切欠部に嵌装され、前記スタンド本体５の幅方向と平行な水平支軸（図示せず）を介して前記スタンド本体５の先端部に枢支されている。
【００７７】
また、前記カメラ支持アーム８のカメラホルダ１０は、一端を前記アーム部９の先端に、前記アーム部９の長さ方向に対し、前記垂直面に沿った方向に屈曲回動可能に枢支された回動部材１１と、この回動部材１１の他端に着脱可能に固定されたカメラ固定部材１２とからなっている。
【００７８】
図６は前記カメラホルダ１０の回動部材１１及びカメラ固定部材１２と、前記カメラホルダ１０に装着されるデジタルカメラ３０の斜視図、図７は前記回動部材１１の反対面側から見た斜視図である。
【００７９】
図６及び図７のように、前記カメラホルダ１０の回動部材１１は、前記アーム部９と略同じ幅と厚さを有する矩形状ブロックからなっており、この回動部材１１は、その一端の中央部に形成された突出部を前記アーム部９の先端の中央部に設けられた切欠部に嵌装され、前記スタンド本体５の幅方向と平行な水平支軸（図示せず）を介して前記アーム部９の先端に枢支されている。
【００８０】
また、図６のように、前記カメラホルダ１０のカメラ固定部材１２は、前記回動部材１１と略同じ幅と厚さを有する板状部材からなっており、このカメラ固定部材１２の一方の面が、前記デジタルカメラ３０の底面に当接するカメラ受け面１２ａとされている。
【００８１】
なお、この実施例のカメラスタンドは、市販品である種々のデジタルカメラのうち、所定の規格のカメラ、例えば、外形が幅８７ｍｍ、高さ５４ｍｍ、厚さ２２．９ｍｍの矩形状で、電源オフ時にカメラ内に引き込み格納され、電源オン時にカメラ前面から突出されるズーミング型撮像レンズ３１を備えた薄型デジタルカメラ３０に書画原稿Ａを撮像させるように設計されたものであり、このデジタルカメラ３０の前面には、ストロボ゛ライトと補助照明用ライト（いずれも図示せず）が設けられ、後面に、モニタディスプレイ３２、光学ファインダ３３、モード選択部３４、ズーミングボタン３５が設けられ、上面に、電源スイッチ３６とシャッタボタン３７が設けられ、底面に、三脚取付け用ねじ孔（図示せず）及びパソコン（パーソナルコンピュータ）等の外部機器接続に接続するための外部機器接続コネクタ３８（図８参照）が設けられている。
【００８２】
そして、前記カメラホルダ１０のカメラ固定部材１２には、前記デジタルカメラ３０の底面に設けられた前記三脚取付け用ねじ孔に螺合されて前記デジタルカメラ３０を前記カメラ固定部材１２のカメラ受け面１２ａに固定するカメラ装着ねじ１３が設けられている。このカメラ装着ねじ１３は、前記カメラ固定部材１２に回転可能に貫通されており、その基部に、前記カメラ固定部材１２の他方の面に設けられた切欠部内に収容される回転摘み１３ａを有している。
【００８３】
また、前記カメラ固定部材１２を前記回動部材１１に着脱可能に固定するための係合手段は、前記カメラ固定部材１２の他方の面（カメラ受け面１２ａとは反対側の面）に突設された溝付き係合ピン１４と、前記回動部材１１に設けられ、この回動部材１１の他端面（アーム部９への枢支端とは反対側の端面）に開口するピン孔１５と、前記回動部材１１内に設けられ、前記ピン孔１５に挿入された前記係合ピン１４を、前記カメラ固定部材１２の他方の面を前記回動部材１１の他端面に密接させる引き込み力を与えた状態でロックする図示しないロック機構と、前記回動部材１１の上面（カメラスタンドの使用時における上面）に設けられ、前記ロック機構を開放する係合解除ボタン１６とからなっている。
【００８４】
また、前記カメラホルダ１０の回動部材１１の下面（カメラスタンドの使用時における下面）には、図７に示したように、前記原稿台１上に置かれた書画原稿Ａを照明するための、ＬＥＤ（発光ダイオード）とその出射光の拡散板とからなる原稿照明ライト１７が設けられている。
【００８５】
前記カメラ支持アーム８は、カメラスタンドの使用時に、起立回動されたスタンド本体５の前方に前記アーム部９を張出し回動され、前記アーム部９に対する前記カメラホルダ１０の屈曲角を調整されて、前記カメラホルダ１０に装着されたデジタルカメラ３０を、その撮像レンズ３１を前記原稿台１の上面に向けて支持するものであり、カメラスタンドの不使用時には、前記カメラホルダ１０を前記アーム部９の延長線（アーム部９の長さ方向の延長線）に沿った方向に回動させてカメラ支持アーム全体を一直線状に延ばした状態で前記スタンド本体５の前面の凹入部６内に倒伏回動され、前記スタンド本体５と一緒に前記原稿台１上に倒伏される。
【００８６】
なお、図示しないが、前記スタンド本体５の上端部と前記カメラ支持アーム８のアーム部９との枢支部には、前記アーム部９を、前記スタンド本体５の前方に予め定めた複数段階の角度に引起した状態と、前記スタンド本体５の前面の凹入部６内に倒伏させた状態とに保持するためのラッチ機構が設けられ、前記アーム部９と前記カメラホルダ１０の回動部材１１との枢支部には、前記回動部材１１を、前記アーム部９に対して予め定めた複数段階の角度に回動させた状態と、前記アーム部９の延長線に沿った方向に回動させた状態とに保持するためのラッチ機構が設けられている。
【００８７】
また、前記スタンド本体５の前面に設けられた凹入部６は、前記デジタルカメラ３０の幅及び厚さよりも僅かに大きい幅及び深さと、前記カメラ支持アーム８とその先端のカメラホルダ１０に装着されたデジタルカメラ３０の両方を収容する長さを有しており、したがって、前記カメラ支持アーム８を、前記カメラホルダ１０に前記デジタルカメラ３０を装着した状態のまま前記凹入部６に収容することができる。
【００８８】
また、前記凹入部６のデジタルカメラ３０が収容される部分の両側には、カメラスタンドの使用する際のカメラ支持アーム８の引起しを容易に行なえるように、前記デジタルカメラ３０を指先で挟み持ってスタンド本体５の前面側に引出すための指差し込み部７が形成されている。
【００８９】
さらに、前記スタンド本体５の側面には、前記カメラ支持アーム８のカメラホルダ１０に装着されたデジタルカメラ３０をパソコン等の外部機器に接続するための外部側コネクタ１８と、外部のＡＣ（交流）電源にＡＣアダプタ２７（図８参照）を介して接続されるＡＣジャック１９と、前記デジタルカメラ３０の電源をオン／オフさせるためのパワーキー２０と、前記カメラホルダ１０の回動部材１１に設けられた原稿照明ライト１７を点灯させるためのライトキー２１とが設けられている。
【００９０】
また、前記カメラ支持アーム８のカメラホルダ１０のカメラ固定部材１２には、そのカメラ受け面１２ａに、前記デジタルカメラ３０の底面に設けられた前記外部機器接続コネクタ３８に差し込み接続されるカメラ側コネクタ２２が設けられている。
【００９１】
そして、前記スタンド本体５に設けられた外部側コネクタ１８と前記カメラ固定部材１２に設けられたカメラ側コネクタ２２とは、前記スタンド本体５内及びカメラ支持アーム８のアーム部９内を通して前記カメラホルダ１０の回動部材１１内に導かれたＵＳＢ（ユニバーサルシリアルバス）ケーブル２３と、前記カメラホルダ１０の回動部材１１とカメラ固定部材１２との係合部に設けられた切離し可能な中継コネクタ２４とを介して電気的に接続されている。
【００９２】
なお、前記中継コネクタ２４は、前記回動部材１１とカメラ固定部材１２とにそれぞれ設けられ、前記カメラ固定部材１２を前記回動部材１１に係合させることにより互いに接続され、前記カメラ固定部材１２を前記回動部材１１から取外すことにより切離される雌雄一対のコネクタからなっている。
【００９３】
図８は前記カメラスタンドの電気回路と外部機器の接続例を示しており、前記外部側コネクタ１８とカメラ側コネクタ２２は、前記ＵＳＢケーブル２３及び中継コネクタ２４を介して接続されている。
【００９４】
また、図８に示したように、前記スタンド本体５内には、前記カメラ支持アーム８のカメラホルダ１０に装着されたデジタルカメラ３０の充電池に充電するための充電回路２５と、前記カメラホルダ１０の回動部材１１に設けられた原稿照明ライト１７の駆動回路２６とが設けられている。
【００９５】
前記充電回路２５と照明ライト駆動回路２６はそれぞれ前記ＡＣジャック１９に接続されており、また、前記充電回路２５は、前記ＵＳＢケーブル２３及び中継コネクタ２４に設けられた充電系配線及び端子を介して前記カメラホルダ１０のカメラ固定部材１２に設けられたカメラ側コネクタ２２に接続され、前記照明ライト駆動回路２６は、前記スタンド本体５内及びカメラ支持アーム８のアーム部９内を通して前記カメラホルダの回動部材１１内に導かれた配線を介して前記原稿照明ライト１７に接続されている。
【００９６】
なお、前記照明ライト駆動回路２６と原稿照明ライト１７は、これらの接続配線を前記ＵＳＢケーブル２３に設けることにより、この前記ＵＳＢケーブル２３を利用して接続してもよい。
【００９７】
また、前記スタンド本体５に設けられた前記パワーキー２０は、前記ＵＳＢケーブル２３及び中継コネクタ２４に設けられたカメラ電源系配線及び端子を介して前記カメラ側コネクタ２２に接続され、前記ライトキー２１は、スタンド本体５内に設けられた配線を介して前記照明ライト駆動回路２６に接続されている。
【００９８】
一方、前記スタンド本体５に設けられた前記外部側コネクタ１８には、前記デジタルカメラ３０の制御及び前記デジタルカメラ３０からの撮像画像データの処理等を行なう外部機器４０が外部機器接続用ＵＳＢケーブル４１を介して接続され、この外部機器４０に、前記外部機器４０から供給される画像信号に応じた画像を液晶表示パネル等の画像表示体により表示し、その表示画像を拡大してスクリーン等の投影面に投影するプロジェクタ４２が、制御信号系ケーブル４３及び画像信号系ケーブル４４を介して接続される。
【００９９】
なお、前記外部機器４０は、例えばパソコンであり、前記プロジェクタ４２の操作部またはそのリモートコントローラ４２ａの操作により前記プロジェクタ４２から供給される指令信号に応じて、前記デジタルカメラ３０の動作を制御するとともに前記デジタルカメラ３０からの撮像画像データの処理してその画像信号を前記プロジェクタ４２に供給するプログラムがインストールされている。
【０１００】
このカメラスタンドは、前記カメラ支持アーム８の先端のカメラホルダ１０に上述した市販のデジタルカメラ３０を、その左右方向をカメラスタンドの左右方向に向けた状態で装着させ、そのデジタルカメラ３０を利用して前記原稿台１上に置かれた書画原稿Ａを撮像させるようにしたものであり、図１のように、前記スタンド本体５を起立回動され、前記カメラ支持アーム８を前記スタンド本体５の前方に張出し回動されるとともに、前記原稿台１の一対のサイドプレート１ｂを中央プレート１ａの両側に展開され、その状態で、前記スタンド本体５の起立角と、前記スタンド本体５に対する前記カメラ支持アーム８のアーム部９の張出し角と、前記アーム部９に対する前記カメラホルダ１０の回動角とを調整されて、前記カメラホルダ１０に装着された前記デジタルカメラ３０を、その撮像レンズ３１を前記張出し回動されたカメラ支持アーム８の下方に向けて支持し、前記カメラ支持アーム８の下方、つまり前記原稿台１上に置かれた書画原稿Ａを前記デジタルカメラ３０に撮像させる。
【０１０１】
また、このカメラスタンドは、不使用時には、まず図２のように、前記カメラホルダ１０を前記アーム部９の延長線に沿った方向に回動されてカメラ支持アーム全体を一直線状に延ばされ、前記カメラ支持アーム８を前記スタンド本体５の前面の凹入部６内に倒伏回動されるとともに、前記原稿台１の一対のサイドプレート１ｂを中央プレート１ａ上に折り重ねられ、その状態で、前記スタンド本体５を図３のように前記原稿台１上に倒伏回動されて、平らに潰した形状に折り畳まれる。
【０１０２】
このカメラスタンドは、前記カメラ支持アーム８の先端のカメラホルダ１０に市販のデジタルカメラ３０を装着させ、このデジタルカメラ３０を利用して書画原稿Ａを撮像させるようにしたものであるため、このカメラスタンドの価格は前記デジタルカメラ３０を含まない安価な価格である。
【０１０３】
しかも、このカメラスタンドは、不使用時に、前記カメラ支持アーム８を前記スタンド本体５の前面に倒伏回動させて前記スタンド本体５を前記原稿台１上に倒伏回動させることにより、平らに潰した形状に折り畳むことができるため、持ち運びが容易である。
【０１０４】
また、このカメラスタンドは、前記カメラ支持アーム８を、基端を前記スタンド本体５の先端部に枢支されたアーム部９と、このアーム部９の先端に、前記アーム部９の長さ方向に対し、垂直面に沿った方向に屈曲回動可能に設けられたカメラホルダ１０とにより構成しているため、使用時に、前記スタンド本体５の起立角と、前記スタンド本体に対する前記アーム部９の張出し角と、前記アーム部９に対する前記カメラホルダ１０の回動角とを調整し、前記カメラホルダ１０に装着されたデジタルカメラ３０を任意の方向に向けて支持することができるとともに、不使用時に、前記カメラホルダ１０を前記アーム部９の延長線に沿った方向に回動させてカメラ支持アーム全体を一直線状に延ばし、前記カメラ支持アーム８を前記スタンド本体５に沿わせて格納することができる。
【０１０５】
さらに、このカメラスタンドは、前記カメラ支持アーム８を、前記アーム部９の先端にデジタルカメラ３０を着脱可能に支持するカメラホルダ１０を設けた構成としているため、前記カメラホルダ１０から前記デジタルカメラ３０を取外し、このデジタルカメラ３０を単独で使用することもできる。
【０１０６】
また、上記実施例のカメラスタンドは、前記原稿台１を、前後方向の長さが左右方向の幅よりも大きい矩形状の中央プレート１ａと、前記中央プレートの１／２の幅を有し、一側縁を前記中央プレート１ａの左右の側縁にそれぞれ回動可能に連結され、前記中央プレート１ａの両側に展開された状態と前記中央プレート１ａ上に折り重ねられた状態とに回動される左右一対のサイドプレート１ｂとにより構成するとともに、前記スタンド本体５の幅及び長さを前記中央プレート１ａの幅及び長さと略同じにし、このスタンド本体５を前記中央プレート１ａ上に折り重ねられた前記一対のサイドプレート１ｂ上に倒伏させるようにしているため、前記カメラスタンドを、前記原稿台１の中央プレート１ａと略同じ幅及び長さのコンパクトな形状に折り畳むことができる。
【０１０７】
また、このカメラスタンドは、前記スタンド本体５の前面にその長さ方向に沿う凹入部６を設け、前記カメラ支持アーム８を、前記凹入部６内に倒伏させてこの凹入部６内に収容するとともに、前記スタンド本体５を、その前面が原稿台１上に重なる状態に倒伏させるようにしているため、このカメラスタンドを、より薄く潰した形状に折り畳むことができる。
【０１０８】
しかも、上記実施例では、前記スタンド本体５の前面に設けられた凹入部６を、前記カメラ支持アーム８とその先端のカメラホルダ１０に装着されたデジタルカメラ３０の両方を収容するように形成しているため、前記カメラ支持アーム８のカメラホルダ１０に前記デジタルカメラ３０を装着したままカメラスタンドを折り畳むことができる。
【０１０９】
また、上記実施例では、前記カメラ支持アーム８のカメラホルダ１０を、前記アーム部９の先端に、前記アーム部９の長さ方向に対し、垂直面に沿った方向に屈曲回動可能に枢支された回動部材１１と、デジタルカメラ３０を着脱可能に支持するカメラ固定部材１２と、前記カメラ固定部材を前記回動部材に着脱可能に固定する係合手段（溝付き係合ピン１４及びピン孔１５と、前記ピン孔１５に挿入された前記係合ピン１４のロック機構と、係合解除ボタン１６）とにより構成しているため、前記デジタルカメラ３０を前記カメラホルダ１０のカメラ固定部材１２に支持させた状態で前記カメラホルダ１０の回動部材１１に着脱できるようにし、前記カメラホルダ１０へのデジタルカメラ３０の着脱を容易にすることができる。
【０１１０】
さらに、上記実施例では、前記カメラホルダ１０のカメラ固定部材１２を、デジタルカメラ３０の底面に当接するカメラ受け面１２ａと、前記デジタルカメラ３０の底面に設けられた三脚取付け用ねじ孔に螺合されて前記デジタルカメラ３０を前記カメラ受け面１２ａに固定するカメラ装着ねじ１３とを有するものとしているため、前記カメラ固定部材１２へのデジタルカメラ３０の着脱を容易に行なうことができる。
【０１１１】
しかも、上記実施例では、前記スタンド本体５に、前記カメラ支持アーム８のカメラホルダ１０に装着されたデジタルカメラ３０をパソコン等の外部機器４０に接続するための外部側コネクタ１８を設け、前記カメラホルダ１０のカメラ固定部材１２のカメラ受け面１２ａに、前記デジタルカメラ３０の底面に設けられた外部機器接続コネクタ３８に接続されるカメラ側コネクタ２２を設け、前記外部側コネクタ１８とカメラ側コネクタ２２とを、前記スタンド本体５内及びカメラ支持アーム８のアーム部９内を通して前記カメラホルダ１０の回動部材１１内に導かれたＵＳＢケーブル２３と、前記カメラホルダ１０の回動部材１１とカメラ固定部材１２の係合部に設けられた切離し可能な中継コネクタ２４とを介して電気的に接続しているため、前記デジタルカメラ３０をカメラスタンドを介して外部機器４０に接続することができる。
【０１１２】
さらに、上記実施例では、前記スタンド本体５に、前記デジタルカメラ３０に充電するための充電回路２５を設け、この充電回路２５を、前記カメラホルダ１０のカメラ固定部材１２に設けられたカメラ側コネクタ２２に、前記カメラホルダ１０の回動部材１１とカメラ固定部材１２の係合部の中継コネクタ２４を介して接続しているため、前記カメラホルダ１０にデジタルカメラ３０を装着したままで、前記デジタルカメラ３０に充電することができる。
【０１１３】
また、上記実施例では、前記カメラ支持アーム８のカメラホルダ１０に、原稿台１上に置かれた書画原稿Ａを照明するための原稿照明ライト１７を設け、前記スタンド本体５に、前記原稿照明ライト１７の駆動回路２６を設けているため、前記デジタルカメラ３０の内蔵電源の電力を消費せずに、撮像する書画原稿Ａを照明することができる。
【０１１４】
なお、上記実施例では、前記カメラホルダ１０の回動部材１１に原稿照明ライト１７を設けているが、この原稿照明ライト１７は、前記カメラホルダ１０のカメラ固定部材１２に設けてもよく、その場合は、スタンド本体５に設けられた外部側コネクタ１８と前記カメラ固定部材１２に設けられたカメラ側コネクタ２２とを接続するＵＳＢケーブル２３及び中継コネクタ２４を利用して原稿照明ライト１７とその駆動回路２６とを接続すればよい。
【０１１５】
さらに、原稿照明ライト１７は、前記カメラホルダ１０の回動部材１１またはカメラ固定部材１２に限らず、前記カメラ支持アーム８のアーム部９に設けても、前記スタンド本体５の前面に設けてもよく、また、前記スタンド本体５とカメラ支持アーム８の両方に設けてもよい。
【０１１６】
また、上記実施例のカメラスタンドは、底面に外部機器接続コネクタ３８を有するデジタルカメラ３０を利用して書画原稿Ａを撮像させるように設計されたものであるが、書画原稿Ａの撮像に利用するデジタルカメラは、前後面または側面に外部機器接続コネクタが設けられたものでもよく、その場合は、前記ＵＳＢケーブル２３をスタンド本体５の上端部または前記カメラ支持アーム８のアーム部９またはカメラホルダ１０の一部から外部に引出し、そのケーブル端に前記カメラ側コネクタ２２を設ければよい。
【０１１７】
さらに、前記カメラスタンドは、その設計に合ったデジタルカメラ３０以外のデジタルカメラを前記カメラホルダ１０に装着させて書画原稿Ａを撮像させることも可能であり、その場合、前記スタンド本体５の前面の凹入部６内のデジタルカメラを収容できないときは、そのデジタルカメラを前記カメラホルダ１０から取外してカメラ支持アーム８をスタンド本体５の前面の凹入部６内に倒伏回動させればよい。
【０１１８】
また、上記実施例のカメラスタンドは、前記原稿台１を、中央プレート１ａと、この中央プレートの１／２以下の幅を有する一対のサイドプレート１ｂとにより構成しているが、前記一対のサイドプレート１ｂの幅は、前記中央プレート１ａの幅以下であれば、中央プレート１ａの幅の１／２より狭くても広くてもよく、両方のサイドプレート１ｂの幅を中央プレート１ａの幅の１／２より広くする場合は、一方のサイドプレート１ｂを中央プレート１ａ上に折り重ね、その上に他方のサイドプレート１ｂを折り重ねるようにすればよい。
【０１１９】
さらにまた、上記実施例では、スタンド本体５の幅及び長さを原稿台１の中央プレート１ａの幅及び長さと略同じにしているが、前記スタンド本体５の長さは、前記中央プレート１ａの長さと異なっていてもよく、その場合も、前記スタンド本体５の幅を前記中央プレート１ａの幅と略同じにすることにより、カメラスタンドを、前記原稿台１の中央プレート１ａと略同じ幅のコンパクトな形状に折り畳むことができる。
【０１２０】
（第２の実施例）
図９〜図１１はこの発明の第２の実施例を示しており、図９はカメラスタンドの使用状態の斜視図、図１０は前記カメラスタンドの折り畳み途中の状態の斜視図、図１１は前記カメラスタンドの折り畳み状態の斜視図である。
【０１２１】
この実施例のカメラスタンドは、テーブル等のスタンド載置面上に置かれる足部材を、１枚の矩形状プレートからなる原稿台４５としたものであり、この原稿台４５は、Ａ４サイズ原稿よりも若干大きい幅と長さを有している。
【０１２２】
そして、この実施例では、原稿台４５の長さ方向の両端を前後端とし、この原稿台４５の後端部に、前記原稿台４５と略同じ外形、つまり前記原稿台４５と略同じ幅と長さを有する矩形状薄型ケースからなるスタンド本体４６の基端を枢支して、このスタンド本体４６を、前記原稿台４５上に倒伏する状態と前記原稿台４５の後端部から上方に起立する状態とに回動可能に設けている。
【０１２３】
一方、前記スタンド本体４６の前面には、その中央部に、カメラ支持アーム４８とその先端のカメラホルダ５０に装着されたデジタルカメラ３０ａを収容するための凹入部４７が設けられている。
【０１２４】
さらに、この実施例では、カメラ支持アーム４８を、基端を前記スタンド本体４６の先端部の前記凹入部４７に対応する部分に枢支され、前記スタンド本体４６に沿わせて格納された状態と起立回動された前記スタンド本体４６の前方に張出す状態とに回動されるアーム部４９と、このアーム部４９の先端に、前記アーム部４９の長さ方向に対し、垂直面に沿った方向に屈曲回動可能に設けられたカメラホルダ５０とにより構成している。
【０１２５】
また、前記カメラホルダ５０は、前記アーム部４９の先端に、このアーム部４９の長さ方向に対し、前記垂直面に沿った方向に屈曲回動可能に枢支された回動部材５１に、市販のデジタルカメラ３０ａを着脱可能に支持するカメラ固定部材５２を、前記回動部材５１の長さ方向に沿う支軸５３を介して、前記回動部材５１の周方向に回動可能に枢支した構成とされており、このカメラホルダ５０の回動部材５１またはカメラ固定部材５２に原稿照明ライト（図示せず）が設けられている。
【０１２６】
なお、前記原稿照明ライトは、前記カメラ支持アーム４８のアーム部４９に設けても、前記スタンド本体４６の前面に設けてもよく、また、前記スタンド本体４６とカメラ支持アーム４８の両方に設けてもよい。
【０１２７】
前記デジタルカメラ３０ａは、図１，２及び図６に示したデジタルカメラ３０と同じ機能を有する薄型カメラであり、前面にズーミング型撮像レンズとストロボ゛ライト及び補助照明用ライト（いずれも図示せず）が設けられ、後面にモニタディスプレイ３２、光学ファインダ３３、モード選択部３４、ズーミングボタン３５、電源スイッチ３６が設けられ、上面にシャッタボタン３７が設けられ、底面に三脚取付け用ねじ孔と外部機器接続コネクタ（いずれも図示せず）が設けられている。
【０１２８】
そして、この実施例では、前記カメラホルダ５０のカメラ固定部材５２を、デジタルカメラ３０ａの底面を支持するカメラ受け部５２ａと、前記デジタルカメラ３０ａをその両側から挟持する一対のカメラ挟持部５２ｂとを有する三方枠状のものとし、このカメラ固定部材５２内にその開放端から前記デジタルカメラ３０ａを嵌込ませることにより、デジタルカメラ３０ａをその三脚取付け用ねじ孔を利用せずに前記カメラ固定部材５２に支持させるようにしている。
【０１２９】
なお、このカメラ固定部材５２は、前記カメラ受け部５２ａの中央部を前記支軸５３を介して前記回動部材５１に枢支されており、前記デジタルカメラ３０ａは、その左右方向をカメラスタンドの左右方向に向けた状態で前記カメラ固定部材５２に支持される。
【０１３０】
また、前記スタンド本体４６の側面には、前記カメラ支持アーム４８のカメラホルダ５０に装着されたデジタルカメラ３０ａを外部機器に接続するための外部側コネクタ５４と、ＡＣジャック５５と、前記デジタルカメラ３０ａの電源をオン／オフさせるためのパワーキー５６と、前記原稿照明ライトを点灯させるためのライトキー５７とが設けられており、前記カメラ支持アーム４８のカメラホルダ５０のカメラ固定部材５２には、そのカメラ受け部５２ａに、前記デジタルカメラ３０ａの底面に設けられた外部機器接続コネクタに差し込み接続されるカメラ側コネクタ（図示せず）が設けられている。
【０１３１】
そして、前記スタンド本体４６に設けられた外部側コネクタ５４と前記カメラ固定部材５２に設けられたカメラ側コネクタとは、図示しないＵＳＢケーブルを介して電気的に接続されている。
【０１３２】
さらに、前記スタンド本体４６内には、図示しないが、前記カメラ支持アーム４８のカメラホルダ５０に装着されたデジタルカメラ３０ａの充電池に充電するための充電回路と、前記原稿照明ライトの駆動回路とが設けられており、前記充電回路と照明ライト駆動回路はそれぞれ前記ＡＣジャック５５に接続され、また、前記充電回路は前記カメラホルダ５０のカメラ固定部材５２に設けられたカメラ側コネクタに接続され、前記照明ライト駆動回路は前記原稿照明ライトに接続されている。
【０１３３】
また、前記スタンド本体４６に設けられた前記パワーキー５６は前記カメラ側コネクタに接続され、前記ライトキー５７は前記照明ライト駆動回路に接続されている。
【０１３４】
この実施例のカメラスタンドは、図９のように、前記スタンド本体４６を起立回動され、前記カメラ支持アーム４８を前記スタンド本体４６の前方に張出し回動されて、前記カメラ支持アーム４８の先端のカメラホルダ５０に装着されたデジタルカメラ３０ａに、前記原稿台４５上に置かれた書画原稿Ａを撮像させるようにしたものであり、不使用時には、図１０のようにカメラ支持アーム４８を一直線状に延ばして前記スタンド本体４６の前面の凹入部４７内に倒伏回動させることにより、このカメラ支持アーム４８を前記スタンド本体４６に沿わせて格納し、その状態で、前記スタンド本体４６を図１１のように前記原稿台４５上に倒伏回動させることにより、平らに潰した形状に折り畳まれる。
【０１３５】
そして、この実施例のカメラスタンドは、前記カメラ支持アーム４８を、基端を前記スタンド本体４６の先端部に枢支されたアーム部４９と、前記アーム部４９の先端に、このアーム部４９の長さ方向に対し、垂直面に沿った方向に屈曲回動可能に設けられたカメラホルダ５０とにより構成するとともに、前記カメラホルダ５０を、前記アーム部４９の先端に枢支された回動部材５１に、デジタルカメラ３０ａを着脱可能に支持するカメラ固定部材５２を、前記回動部材５１の周方向に回動可能に支持させた構成としているため、使用時に、前記スタンド本体４６の起立角と、前記スタンド本体４６に対する前記アーム部４９の張出し角と、前記アーム部４９に対する前記回動部材５１の屈曲角と、前記回動部材５１の周方向への前記カメラ固定部材５２の回動角とを調整し、前記カメラ固定部材５２に支持されたデジタルカメラ３０ａを上述した第１の実施例よりもさらに任意の方向に向けて支持することができる。
【０１３６】
すなわち、このカメラスタンドは、前記カメラホルダ５０を、前記アーム部４９の先端に枢支された回動部材５１に、前記カメラ固定部材５２を、前記回動部材５１の周方向に回動可能に支持させた構成としているため、前記カメラ固定部材５２に支持されたデジタルカメラ３０ａを前記回動部材５１の周方向にも回動させることができ、したがって、デジタルカメラ３０ａの向き（撮像レンズの向き）を、前記原稿台４５上に置かれた書画原稿Ａの位置またはその撮像範囲に応じて前後左右に調整することができるとともに、前記デジタルカメラ３０ａを図９に鎖線で示したように横向き状態に支持し、原稿台４５上の書画原稿Ａ以外の被写体を撮像させることもできる。
【０１３７】
また、このカメラスタンドは、前記カメラホルダ５０のカメラ固定部材５２を前記回動部材５１にその周方向に回動可能に支持させたものであるが、不使用時には、前記カメラ固定部材５２を前記回動部材５１に対してその周方向のずれを無くした状態に回動させ、、前記回動部材５１を前記アーム部４９の延長線（アーム部４９の長さ方向の延長線）に沿った方向に回動させてカメラ支持アーム全体を一直線状に延ばし、前記カメラ支持アーム４８を前記スタンド本体４６に沿わせて格納することができる。
【０１３８】
さらに、この実施例のカメラスタンドは、１枚のプレートからなる原稿台４５の後端部にスタンド本体４６の基端を枢支したものであるが、前記スタンド本体４６の幅及び長さを前記原稿台４５の幅及び長さと略同じにしているため、カメラスタンドを、前記原稿台４５と略同じ幅及び長さのコンパクトな形状に折り畳むことができる。
【０１３９】
さらに、この実施例では、前記カメラホルダ５０のカメラ固定部材５２を、デジタルカメラ３０ａの底面に当接するカメラ受け部５２ａと、前記デジタルカメラ３０ａをその両側から挟持する一対のカメラ挟持部５２ｂとを有する三方枠状のものとし、前記デジタルカメラ３０ａを、前記カメラ固定部材５２内にその開放端から嵌込んで支持させるようにしているため、このカメラ固定部材５２へのデジタルカメラ３０ａの着脱を容易に行なうことができる。
【０１４０】
なお、この実施例では、スタンド本体４６の幅及び長さを原稿台４５の幅及び長さと略同じにしているが、前記スタンド本体４６の長さは、前記原稿台４５の長さと異なっていてもよく、その場合も、前記スタンド本体４６の幅を前記原稿台４５の幅と略同じにすることにより、カメラスタンドを、前記原稿台４５と略同じ幅のコンパクトな形状に折り畳むことができる。
【０１４１】
（第３の実施例）
図１２〜図１４はこの発明の第３の実施例を示しており、図１２はカメラスタンドの使用状態の斜視図、図１３は前記カメラスタンドの折り畳み途中の状態の斜視図、図１４は前記カメラスタンドの折り畳み状態の斜視図である。
【０１４２】
この実施例のカメラスタンドは、足部材を、テーブル等のスタンド載置面上に寝かせた状態で置かれる前後２つの端部をもった棒状足５８としたものであり、スタンド本体５９の一側に１本の棒状足５８を配置し、前記スタンド本体５９を、その基端を前記棒状足５８の後端部に枢支させて、前記棒状足５８の側方にその長さ方向に沿って倒伏する状態と前記棒状足５８の後端部の側方から上方に起立する状態とに回動可能に設けている。
【０１４３】
前記スタンド本体５９は、Ａ４サイズ原稿よりも若干大きい幅及び長さと、市販のデジタルカメラ（図９及び図１０に示した薄型カメラ）３０ａの前後面間の厚さよりも大きい３５〜４０ｍｍ程度の厚さとを有するを有する矩形状の薄型ケースからなっており、このスタンド本体５９の前面に、その幅方向の中間よりも前記棒状足５８側の側縁方向に僅かに片寄った付近から他側縁付近にわたって、カメラ支持アーム６１とその先端のカメラホルダ６３に装着されたデジタルカメラ３０ａを収容するための凹入部６０が設けられている。
【０１４４】
また、前記棒状足５８は、前記スタンド本体５９と略同じ長さと厚さを有する中空の角棒体からなっており、前記スタンド本体５９は、その長さ方向の両端を基端及び先端とし、前記基端の一側面を前記棒状足５８の後端部の一側面に対向させて、前記棒状足５８に枢支されている。
【０１４５】
そして、この実施例では、前記スタンド本体５９の基端部を、前記棒状足５８に対する回動中心から前記棒状足５８の下面までの距離と同じ半径を有する半円筒面状に形成し、このスタンド本体５９を、その基端と前記棒状足５８とにより起立状態で前記スタンド載置面上に支持させるようにしている。
【０１４６】
また、この実施例では、前記カメラ支持アーム６１を、基端を前記スタンド本体５９の先端部の前記凹入部６０に対応する部分に枢支され、前記スタンド本体５９に沿わせて格納された状態と起立回動された前記スタンド本体５９の前方に張出す状態とに回動されるアーム部６２と、前記アーム部６２の先端に、このアーム部６２の長さ方向に対し、垂直面（スタンド載置面に垂直な面）に沿った方向に屈曲回動可能に設けられたカメラホルダ６３とにより構成している。
【０１４７】
さらに、この実施例では、前記カメラホルダ６３を、前記アーム部６２の先端に、このアーム部６２の長さ方向に対し、前記垂直面に沿った方向に屈曲回動可能に枢支された第１の回動部材６４と、この第１の回動部材６４にその長さ方向に沿う支軸６６を介して前記第１の回動部材６４の周方向に回動可能に枢支された第２の回動部材６５と、前記第２の回動部材６５に着脱可能に固定され、前記デジタルカメラ３０ａを着脱可能に支持するカメラ固定部材６７とにより構成している。
【０１４８】
前記カメラホルダ６３のカメラ固定部材６７は、前記デジタルカメラ３０ａを、その左右方向をカメラスタンドの前後方向に向けて支持するものであり、前記デジタルカメラ３０ａの底面と一側面とを支持する２つの辺部６７ａ，６７ｂを有するＬ型部材からなっており、その２つの辺部６７ａ，６７ｂのうち、前記デジタルカメラ３０ａの一側面を支持する辺部６７ｂを前記第２の回動部材６５に着脱可能に固定されている。
【０１４９】
なお、前記カメラ固定部材６７を前記第２の回動部材６５に着脱可能に固定するための係合手段は、図示しないが、上述した第１の実施例におけるカメラ固定部材１２と回動部材１１の係合手段（図６参照）と同様な構成とされており、その係合は、前記第２の回動部材６５の側面に設けられた係合解除ボタン６８により解除されるようになっている。
【０１５０】
また、前記カメラ固定部材６７の他方の辺部、つまり前記デジタルカメラ３０ａの底面を支持する辺部６７ａには、前記デジタルカメラ３０ａの底面に当接するカメラ受け面（図示せず）が形成されており、この辺部６７ａに、図６に示したものと同じカメラ装着ねじ１３が、その回転摘み１３ａの周面の一部を外部に露出させて設けられている。
【０１５１】
そして、この実施例では、前記スタンド本体５９の前記凹入部６０と棒状足５８側の側縁との間の部分の前面に、上下２つの原稿照明ライト６９ａ，６９ｂを、前記スタンド本体５９の前面から凹入させて設けるとともに、前記棒状足５８の上面に、前記カメラ支持アーム６１のカメラホルダ６３に装着されたデジタルカメラ３０ａを外部機器に接続するための外部側コネクタ７０と、ＡＣジャック７１と、前記デジタルカメラ３０ａの電源をオン／オフさせるためのパワーキー７２と、前記原稿照明ライト６９ａ，６９ｂを点灯させるためのライトキー７３とを設けている。
【０１５２】
なお、前記原稿照明ライトは、前記カメラ支持アーム６１のアーム部６２またはカメラホルダ６３（第１と第２の回動部材６４，６５とカメラ固定部材６７のいずれか）に設けてもよく、また、前記スタンド本体５９とカメラ支持アーム６１の両方に設けてもよい。
【０１５３】
そして、前記棒状足５８に設けられた外部側コネクタ７０と前記カメラ固定部材６７に設けられたカメラ側コネクタとは、前記スタンド本体５９内及びカメラ支持アーム６１のアーム部６２内とカメラホルダ６３の第１及び第２の回動部材５６４，６５内を通して導かれた図示しないＵＳＢケーブルと、前記第２の回動部材６５と前記カメラ固定部材６７との係合部に設けられた切離し可能な中継コネクタ（図示せず）とを介して接続されている。
【０１５４】
さらに、前記棒状足５８と前記スタンド本体５９のいずれかの内部には、図示しないが、前記カメラ支持アーム６１のカメラホルダ６３に装着されたデジタルカメラ３０ａの充電池に充電するための充電回路と、前記原稿照明ライト６９ａ，６９ｂの駆動回路とが設けられており、前記充電回路と照明ライト駆動回路はそれぞれ前記ＡＣジャック７１に接続され、また、前記充電回路は前記カメラホルダ６３のカメラ固定部材６７に設けられたカメラ側コネクタに接続され、前記照明ライト駆動回路は前記原稿照明ライト６９ａ，６９ｂに接続されている。
【０１５５】
また、前記スタンド本体４６に設けられた前記パワーキー７２は前記カメラ側コネクタに接続され、前記ライトキー７３は前記照明ライト駆動回路に接続されている。
【０１５６】
この実施例のカメラスタンドは、図１２のように、前記スタンド本体５９を前記棒状足５８の後端部の側方から上方に起立回動され、前記カメラ支持アーム６１を前記スタンド本体５９の前方に張出し回動されて、前記カメラ支持アーム６１の先端のカメラホルダ６３に装着されたデジタルカメラ３０ａに、スタンド載置面上の前記棒状足５８の側方位置に置かれた書画原稿Ａを撮像させるようにしたものであり、不使用時には、図１３のようにカメラ支持アーム６１を一直線状に延ばして前記スタンド本体５９の前面の凹入部６０内に倒伏回動させることにより、このカメラ支持アーム６１を前記スタンド本体５９に沿わせて格納し、その状態で、前記スタンド本体５９を図１４のように前記棒状足５８の側方に倒伏回動させることにより、平らに潰した形状に折り畳まれる。
【０１５７】
すなわち、この実施例のカメラスタンドは、前記スタンド本体５９の一側に前記棒状足５８を配置し、前記スタンド本体５９を、その基端を前記棒状足５８の後端部に枢支し、前記棒状足５８の側方にその長さ方向に沿って倒伏する状態と前記棒状足５８の後端部の側方から上方に起立する状態とに回動させるようにしたものであるため、前記スタンド載置面上に書画原稿Ａを置いて撮像することができる。
【０１５８】
そして、このカメラスタンドは、足部材を前記棒状足５８としたものであるため、不使用時に、前記カメラ支持アーム６１を前記スタンド本体５９の前面に倒伏回動させて前記スタンド本体５９を前記棒状足５８の側方にその長さ方向に沿わせて倒伏させ、平らに潰した形状に折り畳むことができる。
【０１５９】
その場合、この実施例では、前記棒状足５８の厚さを、前記スタンド本体５９の前後面間の厚さと略同じにしているため、不使用時にカメラスタンドを、前記棒状足５８と前記スタンド本体５９との間に段差が無いフラットな形状に折り畳むことができる。
【０１６０】
また、このカメラスタンドは、前記棒状足５８を前記スタンド本体５９の一側だけに配置したものであるが、使用時に、前記スタンド本体５９をその基端と前記棒状足５８とにより起立状態でスタンド載置面上に支持させるようにしているため、前記スタンド載置面上に前記スタンド本体５９を安定した起立状態で置くことができる。
【０１６１】
そして、この実施例のカメラスタンドは、前記カメラ支持アーム６１を、基端を前記スタンド本体５９の先端部に枢支されたアーム部６２とその先端に屈曲回動可能に設けられたカメラホルダ６３とにより構成するとともに、前記カメラホルダ６３を、前記アーム部６２の先端に、前記アーム部６２の長さ方向に対し、垂直面に沿った方向に屈曲回動可能に枢支された第１の回動部材６４と、前記第１の回動部材６４にその周方向に回動可能に枢支された第２の回動部材６５と、前記第２の回動部材６５に着脱可能に固定され、デジタルカメラ３０ａを着脱可能に支持するカメラ固定部材６７とにより構成しているため、使用時に、前記スタンド本体５９の起立角と、前記スタンド本体５９に対する前記アーム部６２の張出し角と、前記アーム部６２に対する前記第１の回動部材６４の屈曲角と、前記第１の回動部材６４に対する前記第２の回動部材６５の周方向の回動角とを調整し、前記カメラ固定部材６７に支持されたデジタルカメラ３０ａをさらに任意の方向に向けて支持するとともに、不使用時に、前記第２の回動部材６５を前記第１の回動部材６４に対してその周方向のずれを無くした状態に回動させ、前記第１の回動部材６４を前記アーム部６２の延長線（アーム部６２の長さ方向の延長線）に沿った方向に回動させてカメラ支持アーム全体を一直線状に延ばし、前記カメラ支持アーム６１を前記スタンド本体５９に沿わせて格納することができ、また、前記デジタルカメラ３０ａを前記カメラ固定部材６７に支持させた状態で前記第２の回動部材６５に着脱できるようにして前記カメラホルダ６３へのデジタルカメラ３０ａの着脱を容易にすることができる。
【０１６２】
（第４の実施例）
図１５及び図１６はこの発明の第４の実施例を示しており、図１５はカメラスタンドの使用状態の斜視図、図１６は前記カメラスタンドの折り畳み状態の斜視図である。
【０１６３】
なお、この実施例のカメラスタンドは、スタンド本体７４の一側に１本の棒状足５８を配置し、前記スタンド本体７４を、その基端を前記棒状足５８の後端部に枢支させて、前記棒状足５８の側方にその長さ方向に沿って倒伏する状態と前記棒状足５８の後端部の側方から上方に起立する状態とに回動可能に設けたものであり、前記棒状足５８は、上述した第３の実施例のものと形状は異なるが実質的に同じ構成のものであるから、重複する説明は図に同符号を付して省略する。
【０１６４】
このカメラスタンドにおいても、前記スタンド本体７４は、その基端の一側面を前記棒状足５８の後端部の一側面に対向させて前記棒状足５８に枢支されており、また、前記スタンド本体７４の基端部は、前記棒状足５８に対する回動中心から前記棒状足５８の下面までの距離と同じ半径を有する半円筒面状に形成され、このスタンド本体５９を、その基端と前記棒状足５８とにより起立状態で前記スタンド載置面上に支持するようになっている。
【０１６５】
そして、この実施例では、前記スタンド本体７４の前記棒状足５８側とは反対側に、このスタンド本体７４の前後面と先端及び前記反対側に開放する切欠部状の空間部７５を設け、この空間部７５内にカメラ支持アーム７６とその先端のカメラホルダ７８に装着されたデジタルカメラ（図９及び図１０に示した薄型カメラ）３０ａを収容するようにするとともに、前記カメラ支持アーム７６を、その基端の一側面を前記スタンド本体７４の前記空間部７５側の側面の先端部に対向させて、前記スタンド本体７４に、前記空間部７５内にスタンド本体７４に沿わせて格納された状態と起立回動された前記スタンド本体７４の前方に張出す状態とに回動可能に枢支されている。
【０１６６】
さらに、この実施例では、前記カメラ支持アーム７６の先端のカメラホルダ７８に、前記デジタルカメラ３０ａを、その左右方向をカメラスタンドの左右方向に向け、且つ前記デジタルカメラ３０ａとカメラホルダ７８の前記棒状足５８側とは反対側の側面を略一致させて装着させるようにするとともに、前記スタンド本体７４の空間部７５を、前記カメラ支持アーム７６とそのカメラホルダ７８に装着されたデジタルカメラ３０ａの外形に対応する形状に形成することにより、前記スタンド本体７４の空間部７５内に前記カメラ支持アーム７６とデジタルカメラ３０ａを収容したときに、その全体の外形がＡ４サイズ原稿よりも若干大きい縦長の矩形状になるようにしている。
【０１６７】
前記カメラ支持アーム７６は、基端を前記スタンド本体７４の先端部に枢支され、前記スタンド本体７４に沿わせて格納された状態と起立回動された前記スタンド本体７４の前方に張出す状態とに回動されるアーム部７７と、前記アーム部７７の先端に、このアーム部７７の長さ方向に対し、垂直面（スタンド載置面に垂直な面）に沿った方向に屈曲回動可能に設けられたカメラホルダ７８とからなっており、さらに前記カメラホルダ７８は、前記アーム部７７の先端に、このアーム部７７の長さ方向に対し、前記垂直面に沿った方向に屈曲回動可能に枢支された回動部材７９と、この回動部材７９にその長さ方向に沿う支軸８１を介して前記回動部材７９の周方向に回動可能に枢支され、前記デジタルカメラ３０ａを着脱可能に支持するカメラ固定部材８０とにより構成されている。
【０１６８】
前記カメラホルダ７８のカメラ固定部材８０は、前記デジタルカメラ３０ａを、その左右方向をカメラスタンドの前後方向に向けて支持するものであり、前記デジタルカメラ３０ａの底面と一側面とを支持する２つの辺部８０ａ，８０ｂを有するＬ型部材からなっており、その２つの辺部８０ａ，８０ｂのうち、前記デジタルカメラ３０ａの底面を支持する辺部８０ａを、前記回動部材７９に前記支軸８１を介して枢支されている。
【０１６９】
そして、このカメラ固定部材８０のカメラ底面を支持する辺部８０ａには、前記デジタルカメラ３０ａの底面に当接するカメラ受け面（図示せず）が形成されており、この辺部８０ａに、図６に示したものと同じカメラ装着ねじ１３が、その回転摘み１３ａの周面の一部を外部に露出させて設けられている。
【０１７０】
また、この実施例では、前記スタンド本体７４の前記空間部７５と棒状足５８側の側縁との間の部分の前面に、原稿照明ライト８２を、前記スタンド本体７４の前面から凹入させて設けている。
【０１７１】
なお、前記原稿照明ライトは、前記カメラ支持アーム７６のアーム部７７またはカメラホルダ７８（回動部材７９とカメラ固定部材８０のいずれか）に設けてもよく、また、前記スタンド本体７４とカメラ支持アーム７６の両方に設けてもよい。
【０１７２】
この実施例のカメラスタンドは、図１５のように、前記スタンド本体７４を前記棒状足５８の後端部の側方から上方に起立回動され、前記カメラ支持アーム７６を前記スタンド本体７４の前方に張出し回動されて、前記カメラ支持アーム７６の先端のカメラホルダ７８に装着されたデジタルカメラ３０ａに、スタンド載置面上の前記棒状足５８の側方位置に置かれた書画原稿Ａを撮像させるようにしたものであり、不使用時には、前記カメラ支持アーム７６を一直線状に延ばして前記スタンド本体７４の空間部７５内に倒伏回動させることにより、このカメラ支持アーム７６を前記スタンド本体７４に沿わせて格納し、その状態で、前記スタンド本体７４を図１６のように前記棒状足５８の側方に倒伏回動させることにより、平らに潰した形状に折り畳まれる。
【０１７３】
そして、この実施例のカメラスタンドは、前記カメラ支持アーム７６を、基端を前記スタンド本体７４の先端部に枢支されたアーム部７７とその先端に屈曲回動可能に設けられたカメラホルダ７８とにより構成するとともに、前記カメラホルダ７８を、前記アーム部７７の先端に、前記アーム部６２の長さ方向に対し、垂直面に沿った方向に屈曲回動可能に枢支された回動部材７９と、前記回動部材７９にその周方向に回動可能に枢支され、デジタルカメラ３０ａを着脱可能に支持するカメラ固定部材８０とにより構成しているため、使用時に、前記スタンド本体７４の起立角と、前記スタンド本体７４に対する前記アーム部７７の張出し角と、前記アーム部７７に対する前記回動部材７９の屈曲角と、前記回動部材７９に対する前記カメラ固定部材８０の周方向の回動角とを調整し、前記カメラ固定部材８０に支持されたデジタルカメラ３０ａを任意の方向に向けて支持するとともに、不使用時に、前記カメラ固定部材８０を前記回動部材７９に対してその周方向のずれを無くした状態に回動させ、前記回動部材７９を前記アーム部７７の延長線（アーム部７７の長さ方向の延長線）に沿った方向に回動させてカメラ支持アーム全体を一直線状に延ばし、前記カメラ支持アーム７６を前記スタンド本体７４に沿わせて格納することができる。
【０１７４】
なお、この実施例では、前記スタンド本体７４の前記棒状足５８側とは反対側に、カメラ支持アーム７６とその先端のカメラホルダ７８に装着されたデジタルカメラ３０ａを収容する空間部７５を設けているが、前記スタンド本体７４の外形を矩形状に形成し、その外形内に、前記カメラ支持アーム７６とデジタルカメラ３０ａを収容するための空間部を、前後面に開放させて設けてもよい。
【０１７５】
（第５の実施例）
図１７〜図１９はこの発明の第５の実施例を示しており、図１７はカメラスタンドの使用状態の斜視図、図１８は前記カメラスタンドの折り畳み途中の状態の斜視図、図１９は前記カメラスタンドの折り畳み状態の斜視図である。
【０１７６】
なお、この実施例のカメラスタンドは、スタンド本体８４の一側に１本の棒状足５８を配置し、前記スタンド本体８４を、その基端を前記棒状足５８の後端部に枢支させて、前記棒状足５８の側方にその長さ方向に沿って倒伏する状態と前記棒状足５８の後端部の側方から上方に起立する状態とに回動可能に設けたものであり、前記棒状足５８は、上述した第３の実施例のものと形状は異なるが実質的に同じ構成のものであるから、重複する説明は図に同符号を付して省略する。
【０１７７】
このカメラスタンドは、前記棒状足５８の後端部にその側方に水平に突出する軸部材８３を設け、前記スタンド本体８４の基端を前記軸部材８３にその軸回り方向に回動可能に且つ前記軸部材８３の長さ方向にスライド可能に支持させたものであり、このカメラスタンドにおいても、前記スタンド本体８４の基端部は、前記棒状足５８に対する回動中心から前記棒状足５８の下面までの距離と同じ半径を有する半円筒面状に形成され、このスタンド本体８４を、その基端と前記棒状足５８とにより起立状態で前記スタンド載置面上に支持するようになっている。
【０１７８】
さらに、このカメラスタンドでは、前記スタンド本体８４を、前記棒状足５８に基端を枢支された第１のスタンド部材８５と、前記第１のスタンド部材８５にその長さ方向にスライド可能に設けられ、使用時に前記第１のスタンド部材８５の先端から外方に引出され、不使用時に前記第１のスタンド部材８５の長さ内に収容される第２のスタンド部材８６とにより構成するとともに、カメラ支持アーム８７を、その基端を前記第２のスタンド部材８６の先端に枢支して、不使用時に、前記第２のスタンド部材８６とともに前記第１のスタンド部材８５の長さ内に収容するようにしている。
【０１７９】
この実施例では、前記スタンド本体８４の第１のスタンド部材８５を、市販のデジタルカメラ（図９及び図１０に示した薄型カメラ）３０ａの前後面間の厚さよりも大きい３５〜４０ｍｍ程度の厚さを有する矩形筒状の中空体とし、この第１のスタンド部材８５内に前記第２のスタンド部材８６とカメラ支持アーム８７を収容するようにしている。
【０１８０】
また、この実施例では、前記カメラ支持アーム８７を、その先端のカメラホルダ８９に装着された前記デジタルカメラ３０ａを第１のスタンド部材８５外に残して前記第１のスタンド部材８５の長さ内に収容されるようにし、前記第１のスタンド部材８５外に残されたデジタルカメラ３０ａを、着脱可能なカメラ保護キャップ９５により覆うようにしている。
【０１８１】
なお、前記カメラ保護キャップ９５は、前記第１のスタンド部材８５と略同じ厚さと幅を有しており、前記第１のスタンド部材８５とカメラ保護キャップ９５の長さは、前記第１のスタンド部材８５の先端に前記デジタルカメラ３０ａを覆ってカメラ保護キャップ９５を装着したときの合計長さが前記棒状足５８の長さと略同じになるように設定されている。
【０１８２】
さらに、この実施例では、前記カメラ支持アーム８７を、基端を前記第２のスタンド部材８６の先端部に枢支され、前記第１のスタンド部材８５内に前記第２のスタンド部材８６とともに収容されて前記スタンド本体８４に沿わせて格納された状態と起立回動された前記スタンド本体８４の前方に張出す状態とに回動されるアーム部８８と、このアーム部８８の先端にその長さ方向に沿う支軸９１を介して前記アーム部８８の周方向に回動可能に枢支された回動部材９０と、この回動部材９０に着脱可能に固定され、前記デジタルカメラ３０ａを着脱可能に支持するカメラ固定部材９２とにより構成している。
【０１８３】
このカメラホルダ８９のカメラ固定部材９２は、前記デジタルカメラ３０ａを、その左右方向をカメラスタンドの前後方向に向けて支持するものであり、前記回動部材９０に固定される側とは反対面に前記デジタルカメラ３０ａの底面に当接するカメラ受け面（図示せず）が形成された板状部材からなっており、このカメラ固定部材９２に、図６に示したものと同じカメラ装着ねじ１３が、その回転摘み１３ａの周面の一部を外部に露出させて設けられている。
【０１８４】
また、前記カメラ固定部材９２を前記回動部材９０に着脱可能に固定するための係合手段は、図示しないが、上述した第１の実施例におけるカメラ固定部材１２と回動部材１１の係合手段（図６参照）と同様な構成とされており、その係合は、前記回動部材９０の側面に設けられた係合解除ボタン９３により解除されるようになっている。
【０１８５】
また、この実施例では、前記スタンド本体８４の第１のスタンド部材８５の前面に、使用時に斜め下向きに突出され、不使用時に前記第１のスタンド部材８５内に格納される原稿照明ライト９４を設けている。
【０１８６】
なお、前記原稿照明ライトは、前記スタンド本体８４の第２のスタンド部材８６の前面に設けても、前記カメラ支持アーム８７のアーム部８８またはカメラホルダ８９（回動部材９０とカメラ固定部材９２のいずれか）に設けてもよく、また、前記スタンド本体８４とカメラ支持アーム８７の両方に設けてもよい。
【０１８７】
この実施例のカメラスタンドは、図１７のように、前記スタンド本体８４を前記棒状足５８の後端部の側方から上方に起立回動され、前記カメラ支持アーム８７を前記スタンド本体８４の前方に張出し回動されて、前記カメラ支持アーム８７の先端のカメラホルダ８９に装着されたデジタルカメラ３０ａに、スタンド載置面上の前記棒状足５８の側方位置に置かれた書画原稿Ａを撮像させるようにしたものであり、不使用時には、前記カメラ支持アーム８７を図１８のように前記スタンド本体８４内にこのスタンド本体８４に沿わせて格納し、その状態で、前記スタンド本体８４を図１９のように前記棒状足５８の側方に倒伏回動させることにより、平らに潰した形状に折り畳まれる。
【０１８８】
そして、この実施例のカメラスタンドは、前記棒状足５８の後端部にその側方に水平に突出する軸部材８３を設け、前記スタンド本体８４の基端を、前記軸部材８３に、その軸回り方向に回動可能に且つ前記軸部材８３の長さ方向にスライド可能に支持させているため、上述した第１〜第４の実施例に比べて前記スタンド本体８４の幅を小さくし、しかも使用時に、前記スタンド本体８４を前記棒状足５８から離れる方向に移動させることにより、前記棒状足５８から充分な距離をとった位置の上方にデジタルカメラ３０ａを支持して、前記スタンド載置面上に置かれた書画原稿Ａを撮像させることができるとともに、不使用時に前記スタンド本体８４を前記棒状足５８の側面に引き寄せて、よりコンパクトな形状に折り畳むことができる。
【０１８９】
また、この実施例のカメラスタンドは、前記スタンド本体８４を前記第１のスタンド部材８５と第２のスタンド部材８６とにより構成し、前記カメラ支持アーム８７を、その基端を前記第２のスタンド部材８６の先端に枢支して、不使用時に、前記第２のスタンド部材８６とともに前記第１のスタンド部材８５の長さ内に収容するようにしているため、使用時に、前記スタンド本体８４を前記第２のスタンド部材８６の引出しにより伸長させ、スタンド載置面から充分に離れた高さにデジタルカメラ３０ａを支持して、前記スタンド載置面上に置かれた書画原稿Ａを撮像させることができるとともに、不使用時に、前記スタンド本体８４を前記第１のスタンド部材８５の長さに縮小し、カメラスタンドをコンパクトに折り畳むことができる。
【０１９０】
しかも、この実施例では、前記第１のスタンド部材８５を中空体とし、この第１のスタンド部材８５内に前記第２のスタンド部材８６とカメラ支持アーム８７を収容するようにしているため、前記スタンド本体８４の外観をシンプルにし、デザイン性を良くすることができる。
【０１９１】
さらに、この実施例では、前記カメラ支持アーム８７を、その先端のカメラホルダ８９に装着されたデジタルカメラ３０ａを前記第１のスタンド部材８５外に残して前記第１のスタンド部材８５の長さ内に収容し、前記第１のスタンド部材８５外に残された前記デジタルカメラ３０ａを、着脱可能なカメラ保護キャップ９５により覆うようにしているため、前記第１のスタンド部材８５内の前記第２のスタンド部材８６及びカメラ支持アーム８７の収容空間を、前記デジタルカメラ３０ａの形状を考慮しない簡単な形状にするとともに、不使用時に、前記第１のスタンド部材８５外に残された前記デジタルカメラ３０ａを、前記カメラ保護キャップ９５により保護することができる。
【０１９２】
また、この実施例のカメラスタンドは、前記カメラ支持アーム８７を、基端を前記スタンド本体８４の先端部（第２のスタンド部材８６の先端部）に枢支されたアーム部８８と、前記アーム部８８の先端にその周方向に回動可能に設けられたカメラホルダ８９とにより構成しているため、使用時に、前記スタンド本体８４の起立角と、前記スタンド本体８４に対する前記アーム部８８の張出し角と、前記アーム部８８の周方向への前記カメラホルダ８９の回動角とを調整し、前記カメラホルダ８９に装着されたデジタルカメラ３０ａを任意の方向に向けて支持することができるとともに、不使用時に、前記カメラホルダ８９を前記アーム部８８に対してその周方向のずれを無くした状態に回動させて、前記カメラ支持アーム８７を前記スタンド本体８４内にこのスタンド本体８４に沿わせて格納することができる。
【０１９３】
しかも、この実施例では、前記カメラホルダ８９を、前記アーム部８８の先端にその周方向に回動可能に支持された回動部材９０と、前記回動部材９０に着脱可能に固定され、デジタルカメラ３０ａを着脱可能に支持するカメラ固定部材９２とにより構成しているため、前記デジタルカメラ３０ａを前記カメラホルダ８９のカメラ固定部材９２に支持させた状態で前記カメラホルダ８９の回動部材９０に着脱できるようにし、前記カメラホルダ８９へのデジタルカメラ３０ａの着脱を容易にすることができる。
【０１９４】
（第６及び第７の実施例）
図２０はこの発明の第６の実施例を示すカメラスタンドの使用状態の斜視図、図２１はこの発明の第７の実施例を示すカメラスタンドの使用状態の斜視図であり、この第６及び第７の実施例のカメラスタンドは、棒状足をスタンド本体の一側と他側にそれぞれ配置したものである。
【０１９５】
すなわち、図２０に示した第６の実施例のカメラスタンドは、図１７〜図１９に示した第５の実施例のカメラスタンドを、２本の棒状足５８，５８ａを備え、これらの棒状足５８，５８ａの間にスタンド本体８４を、その基端を前記棒状足５８，５８ａの後端部に枢支させて、倒伏状態と起立状態とに回動可能に配置したものであり、スタンド本体８４及びカメラ支持アーム８７の構成は前記第５の実施例と同じである。
【０１９６】
なお、この第６の実施例のカメラスタンドでは、２本の棒状足５８，５８ａの後端部の間に、スタンド本体８４の幅よりも充分に大きい長さと前記スタンド本体８４の幅と略同じ長さとに伸縮可能な軸部材８３ａを設け、この軸部材８３ａにスタンド本体８４の基端を回動可能に且つスライド可能に支持させている。
【０１９７】
また、図２１に示した第７の実施例のカメラスタンドは、図１２〜図１４に示した第３の実施例のカメラスタンドを、２本の棒状足５８，５８ａを備え、これらの棒状足５８，５８ａの間にスタンド本体５９を、その基端を前記棒状足５８，５８ａの後端部に枢支させて、倒伏状態と起立状態とに回動可能に配置したものであり、スタンド本体５９と、カメラ支持アーム６１のアーム部６２及びカメラホルダ６３の第１及び第２の回動部材６４，６５の構成は前記第３の実施例と同じである。
【０１９８】
なお、前記第３の実施例では、前記カメラホルダ６３のカメラ固定部材８０に、デジタルカメラ３０ａをその左右方向をカメラスタンドの前後方向に向けた状態で支持させるようにしているが、この第７の実施例のカメラスタンドでは、前記カメラホルダ６３のカメラ固定部材８０を、デジタルカメラ３０ａをその左右方向をカメラスタンドの左右方向に向けた状態で支持する構成としている。
【０１９９】
前記第６及び第７の実施例のカメラスタンドは、スタンド本体８４，５９の一側と他側にそれぞれ棒状足５８，５８ａを配置したものであるため、起立状態のスタンド本体８４，５９をその両側の２本の棒状足５８，５８ａで支え、前記スタンド載置面上に前記スタンド本体８４，５９を安定した起立状態で置くことができる。
【０２００】
これは、図１５及び図１６に示した第４の実施例のカメラスタンドに２本の棒状足５８，５８ａを備えさせた場合も同様である。
【０２０１】
（他の実施例）
なお、上述した第１及び第２の実施例のカメラスタンドは、スタンド載置面上に置かれる足部材を原稿台１または４５としたものであるが、前記足部材は、スタンド載置面上に寝かせた状態で置かれる棒状足でもよい。
【０２０２】
また、上述した第３〜第７の実施例のカメラスタンドは、スタンド載置面上に置かれる足部材を棒状足５８，５８ａとしたものであるが、前記足部材は、上面に書画原稿が置かれる原稿台でもよい。
【図面の簡単な説明】
【０２０３】
【図１】この発明の第１の実施例を示すカメラスタンドの使用状態の斜視図。
【図２】前記カメラスタンドの折り畳み途中の状態の斜視図。
【図３】前記カメラスタンドの折り畳み状態の斜視図。
【図４】図１のIV―IV線に沿う拡大断面図。
【図５】図２のV―V線に沿う拡大断面図。
【図６】前記カメラスタンドのカメラホルダの回動部材及びカメラ固定部材とデジタルカメラの斜視図。
【図７】前記回動部材の反対面側から見た斜視図。
【図８】前記カメラスタンドの電気回路と外部機器の接続例を示す図。
【図９】この発明の第２の実施例を示すカメラスタンドの使用状態の斜視図。
【図１０】第２の実施例のカメラスタンドの折り畳み途中の状態の斜視図。
【図１１】第２の実施例のカメラスタンドの折り畳み状態の斜視図
【図１２】この発明の第３の実施例を示すカメラスタンドの使用状態の斜視図。
【図１３】第３の実施例のカメラスタンドの折り畳み途中の状態の斜視図。
【図１４】第３の実施例のカメラスタンドの折り畳み状態の斜視図
【図１５】この発明の第４の実施例を示すカメラスタンドの使用状態の斜視図。
【図１６】第４の実施例のカメラスタンドの折り畳み状態の斜視図
【図１７】この発明の第５の実施例を示すカメラスタンドの使用状態の斜視図。
【図１８】第５の実施例のカメラスタンドの折り畳み途中の状態の斜視図。
【図１９】第５の実施例のカメラスタンドの折り畳み状態の斜視図
【図２０】この発明の第６の実施例を示すカメラスタンドの使用状態の斜視図。
【図２１】この発明の第７の実施例を示すカメラスタンドの使用状態の斜視図。
【符号の説明】
【０２０４】
１，４５…原稿台、１ａ…中央プレート、１ｂ…サイドプレート、５，４６…スタンド本体、６，４７…凹入部、８，４８…カメラ支持アーム、９，４９…アーム部、１０，５０…カメラホルダ、１１，５１…回動部材、１２，５２…カメラ固定部材、１２ａ…カメラ受け面、１３…カメラ装着ねじ、１３ａ…回転摘み、１４…係合ピン、１５…ピン孔、１６…係合解除ボタン、１７…原稿照明ライト、１８…外部側コネクタ、１９…ＡＣジャック、２０…パワーキー、２１…ライトキー、２２…カメラ側コネクタ、２３…ＵＳＢケーブル、２４…中継コネクタ、２５…充電回路、２６…照明ライト駆動回路、３０，３０ａ…デジタルカメラ、３８…外部機器接続コネクタ、４０…外部機器（パソコン）、４２…プロジェクタ、５８，５８ａ…棒状足、５９…スタンド本体、６０…凹入部、６１…カメラ支持アーム、６２…アーム部、６３…カメラホルダ、６４…第１の回動部材、６５…第２の回動部材、６７…カメラ固定部材、６９ａ，６９ｂ…原稿照明ライト、７０…外部側コネクタ、７１…ＡＣジャック、７２…パワーキー、７３…ライトキー、７４…スタンド本体、７５…空間部、７６…カメラ支持アーム、７７…アーム部、７８…カメラホルダ、７９…回動部材、８０…カメラ固定部材、８２…原稿照明ライト、８３…軸部材、８４…スタンド本体、８５…第１のスタンド部材、８６…第２のスタンド部材、８７…カメラ支持アーム、８８…アーム部、８９…カメラホルダ、９０…回動部材、９２…カメラ固定部材、９４…原稿照明ライト、Ａ…書画原稿。
【図１】
2005099708.tif 000003
【図２】
2005099708.tif 000004
【図３】
2005099708.tif 000005
【図４】
2005099708.tif 000006
【図５】
2005099708.tif 000007
【図６】
2005099708.tif 000008
【図７】
2005099708.tif 000009
【図８】
2005099708.tif 000010
【図９】
2005099708.tif 000011
【図１０】
2005099708.tif 000012
【図１１】
2005099708.tif 000013
【図１２】
2005099708.tif 000014
【図１３】
2005099708.tif 000015
【図１４】
2005099708.tif 000016
【図１５】
2005099708.tif 000017
【図１６】
2005099708.tif 000018
【図１７】
2005099708.tif 000019
【図１８】
2005099708.tif 000020
【図１９】
2005099708.tif 000021
【図２０】
2005099708.tif 000022
【図２１】
2005099708.tif 000023